(57)【要約】本開示のいくつかの態様は、ＭＡＣプロトコルデータ単位（ＭＰＤＵ）を送信し、受信し、確認するための技法および装置を提供し、ブロック確認（ＢＡ）ビットマップ中の複数の単一ビットに、複数のＭＰＤＵの受信を確認させる。この結果、各ビットが単一ＭＰＤＵのみを確認する場合よりも、大きい数のＭＰＤＵに対して確認を行うことができる。再送信ビットマップに関連付けられたオーバーヘッドを削減することによって、より大きい数のＭＰＤＵをアグリゲートでき、そうすることによって全体的スループットが増加する。【選択図】図５
2013542632.tif 000002
【特許請求の範囲】
【請求項１】
複数のメディアアクセス制御（ＭＡＣ）プロトコルデータ単位（ＭＰＤＵ）を受信することと、
ブロック確認（ＢＡ）メッセージを送信することとを備え、前記ＢＡメッセージが前記複数のＭＰＤＵのうちの２つ以上からなるグループの受信を確認するためのビットを備えたビットマップを備える、ワイヤレス通信のための方法。
【請求項２】
前記ビットは前記グループの各ＭＰＤＵが成功裡に受信されたことを確認するものである、請求項１に記載の方法。
【請求項３】
各ＭＰＤＵはこのＭＰＤＵがグループに属すかどうかの指示とともに受信され、前記ビットマップはグループに属さないＭＰＤＵを個々に確認するための少なくとも１つのビットを備える、請求項１に記載の方法。
【請求項４】
各ＭＰＤＵがグループに属すかどうかの前記指示はＭＰＤＵデリミタフィールド中で与えられる、請求項３に記載の方法。
【請求項５】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項４に記載の方法。
【請求項６】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項３に記載の方法。
【請求項７】
各ＭＰＤＵはこのＭＰＤＵがグループにおける最終ＭＰＤＵであるかどうかの指示とともに受信される、請求項１に記載の方法。
【請求項８】
グループサイズｎを判断することをさらに備え、前記ビットマップ中の前記ビットは同じグループ中のｎ個のＭＰＤＵの受信を確認するものである、請求項１に記載の方法。
【請求項９】
１つの装置から、前記グループサイズｎを示すグループ化メッセージを受信することと、
前記装置に、前記グループ化メッセージの受信を確証する確証メッセージを送ることをさらに備える、請求項８に記載の方法。
【請求項１０】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項８に記載の方法。
【請求項１１】
前記ビットマップはｎ未満のＭＰＤＵを備える最終グループの受信を確認する少なくとも１つのビットを備える、請求項８に記載の方法。
【請求項１２】
フレーム終結（ＥＯＦ）デリミタの検出またはデータ終結の検出の少なくとも１つに基づいて、前記最終グループがｎ未満のＭＰＤＵを備えると判断することをさらに備える、請求項１１に記載の方法。
【請求項１３】
前記ＢＡメッセージはｎ個のＭＰＤＵからなるグループを確認するのに使われ前記ビットマップ中の１つまたは複数のビットを示す別のビットを備える、請求項１に記載の方法。
【請求項１４】
前記ＢＡメッセージは前記ビットによって確認されたＭＰＤＵの数を示すグループサイズフィールドを備え、前記グループサイズフィールドは前記ＢＡメッセージの制御フィールドのうち少なくとも１つのビットを備える、請求項１に記載の方法。
【請求項１５】
複数のメディアアクセス制御（ＭＡＣ）プロトコルデータ単位（ＭＰＤＵ）を受信するように構成される受信機と、
ブロック確認（ＢＡ）メッセージを送信するように構成される送信機とを備え、前記ＢＡメッセージは前記複数のＭＰＤＵのうち２つ以上からなるグループの受信を確認するためのビットを備えたビットマップを備える、ワイヤレス通信のための装置。
【請求項１６】
前記ビットは前記グループの各ＭＰＤＵが成功裡に受信されたことを確認するものである、請求項１５に記載の装置。
【請求項１７】
各ＭＰＤＵはこのＭＰＤＵがグループに属すかどうかの指示とともに受信され、前記ビットマップはグループに属さないＭＰＤＵを個々に確認するための少なくとも１つのビットを備える、請求項１５に記載の装置。
【請求項１８】
各ＭＰＤＵがグループに属すかどうかの前記指示はＭＰＤＵデリミタフィールド中で与えられる、請求項１７に記載の装置。
【請求項１９】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項１８に記載の装置。
【請求項２０】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項１７に記載の装置。
【請求項２１】
各ＭＰＤＵはこのＭＰＤＵがグループにおける最終ＭＰＤＵであるかどうかの指示とともに受信される、請求項１５に記載の装置。
【請求項２２】
グループサイズｎを判断するように構成される処理システムをさらに備え、前記ビットマップ中の前記ビットは同じグループ中のｎ個のＭＰＤＵの受信を確認するものである、請求項１５に記載の装置。
【請求項２３】
前記受信機は、別の装置から、前記グループサイズｎを示すグループ化メッセージを受信するようにさらに構成され、前記送信機は、前記別の装置に、前記グループ化メッセージの受信を確証する確証メッセージを送るようにさらに構成される、請求項２２に記載の装置。
【請求項２４】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項２２に記載の装置。
【請求項２５】
前記ビットマップはｎ未満のＭＰＤＵを備える最終グループの受信を確認する少なくとも１つのビットを備える、請求項２２に記載の装置。
【請求項２６】
前記処理システムは、フレーム終結（ＥＯＦ）デリミタの検出またはデータ終結の検出の少なくとも１つに基づいて、前記最終グループがｎ未満のＭＰＤＵを備えると判断するようにさらに構成される、請求項２５に記載の装置。
【請求項２７】
前記ＢＡメッセージはｎ個のＭＰＤＵからなるグループを確認するのに使われ前記ビットマップ中の１つまたは複数のビットを示す別のビットを備える、請求項１５に記載の装置。
【請求項２８】
前記ＢＡメッセージは前記ビットによって確認されたＭＰＤＵの数を示すグループサイズフィールドを備え、前記グループサイズフィールドは前記ＢＡメッセージの制御フィールドのうち少なくとも１つのビットを備える、請求項１５に記載の装置。
【請求項２９】
複数のメディアアクセス制御（ＭＡＣ）プロトコルデータ単位（ＭＰＤＵ）を受信するための手段と、
ブロック確認（ＢＡ）メッセージを送信するための手段とを備え、前記ＢＡメッセージは前記複数のＭＰＤＵのうち２つ以上からなるグループの受信を確認するためのビットを備えたビットマップを備える、ワイヤレス通信のための装置。
【請求項３０】
前記ビットは前記グループの各ＭＰＤＵが成功裡に受信されたことを確認するものである、請求項２９に記載の装置。
【請求項３１】
各ＭＰＤＵはこのＭＰＤＵがグループに属すかどうかの指示とともに受信され、前記ビットマップはグループに属さないＭＰＤＵを個々に確認するための少なくとも１つのビットを備える、請求項２９に記載の装置。
【請求項３２】
各ＭＰＤＵがグループに属すかどうかの前記指示はＭＰＤＵデリミタフィールド中で与えられる、請求項３１に記載の装置。
【請求項３３】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項３２に記載の装置。
【請求項３４】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項３１に記載の装置。
【請求項３５】
各ＭＰＤＵはこのＭＰＤＵがグループにおける最終ＭＰＤＵであるかどうかの指示とともに受信される、請求項２９に記載の装置。
【請求項３６】
グループサイズｎを判断するための手段をさらに備え、前記ビットマップ中の前記ビットは同じグループ中のｎ個のＭＰＤＵの受信を確認するものである、請求項２９に記載の装置。
【請求項３７】
別の装置から、前記グループサイズｎを示すグループ化メッセージを受信するための手段と、
前記別の装置に、前記グループ化メッセージの受信を確証する確証メッセージを送るための手段とをさらに備える、請求項３６に記載の装置。
【請求項３８】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項３６に記載の装置。
【請求項３９】
前記ビットマップはｎ未満のＭＰＤＵを備える最終グループの受信を確認する少なくとも１つのビットを備える、請求項３６に記載の装置。
【請求項４０】
フレーム終結（ＥＯＦ）デリミタの検出またはデータ終結の検出の少なくとも１つに基づいて、前記最終グループがｎ未満のＭＰＤＵを備えると判断するための手段をさらに備える、請求項３９に記載の装置。
【請求項４１】
前記ＢＡメッセージはｎ個のＭＰＤＵからなるグループを確認するのに使われ前記ビットマップ中の１つまたは複数のビットを示す別のビットを備える、請求項２９に記載の装置。
【請求項４２】
前記ＢＡメッセージは前記ビットによって確認されたＭＰＤＵの数を示すグループサイズフィールドを備え、前記グループサイズフィールドは前記ＢＡメッセージの制御フィールドのうち少なくとも１つのビットを備える、請求項２９に記載の装置。
【請求項４３】
少なくとも１つのアンテナと、
前記少なくとも１つのアンテナを介して、複数のメディアアクセス制御（ＭＡＣ）プロトコルデータ単位（ＭＰＤＵ）を受信するように構成される受信機と、
前記少なくとも１つのアンテナを介して、ブロック確認（ＢＡ）メッセージを送信するように構成される送信機とを備え、前記ＢＡメッセージは前記複数のＭＰＤＵのうち２つ以上からなるグループの受信を確認するためのビットを備えたビットマップを備える、ワイヤレスノード。
【請求項４４】
ワイヤレス通信のためのコンピュータプログラム製品であって、
複数のメディアアクセス制御（ＭＡＣ）プロトコルデータ単位（ＭＰＤＵ）を受信し、
前記複数のＭＰＤＵのうち２つ以上からなるグループの受信を確認するためのビットを備えたビットマップを備えるブロック確認（ＢＡ）メッセージを送信するように実行可能な複数の命令を備えるコンピュータ可読媒体を備えるコンピュータプログラム製品。
【請求項４５】
複数のメディアアクセス制御（ＭＡＣ）プロトコルデータ単位（ＭＰＤＵ）を送信することと、
ブロック確認（ＢＡ）メッセージを受信することとを備え、前記ＢＡメッセージは前記複数のＭＰＤＵのうち２つ以上からなるグループの受信を確認するためのビットを備えたビットマップを備える、ワイヤレス通信のための方法。
【請求項４６】
前記ビットは前記グループの各ＭＰＤＵが成功裡に受信されたことを確認するものである、請求項４５に記載の方法。
【請求項４７】
各ＭＰＤＵはこのＭＰＤＵがグループに属すかどうかの指示とともに送信され、前記ビットマップはグループに属さないＭＰＤＵを個々に確認するための少なくとも１つのビットを備える、請求項４５に記載の方法。
【請求項４８】
各ＭＰＤＵがグループに属すかどうかの前記指示はＭＰＤＵデリミタフィールド中で与えられる、請求項４７に記載の方法。
【請求項４９】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項４８に記載の方法。
【請求項５０】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項４７に記載の方法。
【請求項５１】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項４５に記載の方法。
【請求項５２】
グループサイズｎを判断することをさらに含み、前記ビットマップ中の前記ビットは同じグループ中のｎ個のＭＰＤＵの受信を確認するものである、請求項４５に記載の方法。
【請求項５３】
１つの装置に、前記グループサイズｎを示すグループ化メッセージを送ることと、
前記グループ化メッセージが前記装置によって成功裡に受信されたという確証を受信することとをさらに備える、請求項５２に記載の方法。
【請求項５４】
前記ビットマップはｎ未満のＭＰＤＵを備える最終グループの受信を確認する少なくとも１つのビットを備える、請求項５２に記載の方法。
【請求項５５】
ｎ個のＭＰＤＵからなる少なくとも１つのグループについて、データを含むｎ−ｍ個のＭＰＤＵおよびｍ個のヌルＭＰＤＵを送信することをさらに備える、請求項５２に記載の方法。
【請求項５６】
前記ＢＡメッセージはｎ個のＭＰＤＵからなるグループを確認するのに使われ前記ビットマップ中の１つまたは複数のビットを示す別のビットを備える、請求項４５に記載の方法。
【請求項５７】
前記ＢＡメッセージは前記ビットによって確認されたＭＰＤＵの数を示すグループサイズフィールドを備える、請求項４５に記載の方法。
【請求項５８】
複数のメディアアクセス制御（ＭＡＣ）プロトコルデータ単位（ＭＰＤＵ）を送信するように構成される送信機と、
ブロック確認（ＢＡ）メッセージを受信するように構成される受信機とを備え、前記ＢＡメッセージは前記複数のＭＰＤＵのうち２つ以上からなるグループの受信を確認するためのビットを備えたビットマップを備える、ワイヤレス通信のための装置。
【請求項５９】
前記ビットは前記グループの各ＭＰＤＵが成功裡に受信されたことを確認するものである、請求項５８に記載の装置。
【請求項６０】
各ＭＰＤＵはこのＭＰＤＵがグループに属すかどうかの指示とともに送信され、前記ビットマップはグループに属さないＭＰＤＵを個々に確認するための少なくとも１つのビットを備える、請求項５８に記載の装置。
【請求項６１】
各ＭＰＤＵがグループに属すかどうかの前記指示はＭＰＤＵデリミタフィールド中で与えられる、請求項６０に記載の装置。
【請求項６２】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項６１に記載の装置。
【請求項６３】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項６０に記載の装置。
【請求項６４】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項５８に記載の装置。
【請求項６５】
グループサイズｎを判断するための処理システムをさらに備え、前記ビットマップ中の前記ビットは同じグループ中のｎ個のＭＰＤＵの受信を確認するものである、請求項５８に記載の装置。
【請求項６６】
前記送信機は、前記別の装置に、前記グループサイズｎを示すグループ化メッセージを送るようにさらに構成され、前記装置は前記グループ化メッセージが前記別の装置によって成功裡に受信されたという確証を受信するように構成される、請求項６５に記載の装置。
【請求項６７】
前記ビットマップはｎ未満のＭＰＤＵを備える最終グループの受信を確認する少なくとも１つのビットを備える、請求項６５に記載の装置。
【請求項６８】
前記送信機はｎ個のＭＰＤＵからなる少なくとも１つのグループについて、データを含むｎ−ｍ個のＭＰＤＵおよびｍ個のヌルＭＰＤＵを送信するように構成される、請求項６５に記載の装置。
【請求項６９】
前記ＢＡメッセージはｎ個のＭＰＤＵからなるグループを確認するのに使われ前記ビットマップ中の１つまたは複数のビットを示す別のビットを備える、請求項５８に記載の装置。
【請求項７０】
前記ＢＡメッセージは前記ビットによって確認されたＭＰＤＵの数を示すグループサイズフィールドを備える、請求項５８に記載の装置。
【請求項７１】
複数のメディアアクセス制御（ＭＡＣ）プロトコルデータ単位（ＭＰＤＵ）を送信するための手段と、
ブロック確認（ＢＡ）メッセージを受信するための手段とを備え、前記ＢＡメッセージは前記ＭＰＤＵのうち２つ以上からなるグループの受信を確認するためのビットを備えるビットマップを備える、ワイヤレス通信のための装置。
【請求項７２】
前記ビットは前記グループの各ＭＰＤＵが成功裡に受信されたことを確認するものである、請求項７１に記載の装置。
【請求項７３】
各ＭＰＤＵはこのＭＰＤＵがグループに属すかどうかの指示とともに送信され、前記ビットマップはグループに属さないＭＰＤＵを個々に確認するための少なくとも１つのビットを備える、請求項７１に記載の装置。
【請求項７４】
各ＭＰＤＵがグループに属すかどうかの前記指示はＭＰＤＵデリミタフィールド中で与えられる、請求項７３に記載の装置。
【請求項７５】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項７４に記載の装置。
【請求項７６】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項７３に記載の装置。
【請求項７７】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項７１に記載の装置。
【請求項７８】
グループサイズｎを判断するための手段をさらに備え、前記ビットマップ中の前記ビットは同じグループ中のｎ個のＭＰＤＵの受信を確認するものである、請求項７１に記載の装置。
【請求項７９】
１つの装置に、前記グループサイズｎを示すグループ化メッセージを送るための手段と、
前記グループ化メッセージが前記装置によって成功裡に受信されたという確証を受信するための手段とをさらに備える、請求項７８に記載の装置。
【請求項８０】
前記ビットマップはｎ未満のＭＰＤＵを備える最終グループの受信を確認する少なくとも１つのビットを備える、請求項７８に記載の装置。
【請求項８１】
ｎ個のＭＰＤＵからなる少なくとも１つのグループについて、データを含むｎ−ｍ個のＭＰＤＵおよびｍ個のヌルＭＰＤＵを送信するための手段をさらに備える、請求項７８に記載の装置。
【請求項８２】
前記ＢＡメッセージはｎ個のＭＰＤＵからなるグループを確認するのに使われ前記ビットマップ中の１つまたは複数のビットを示す別のビットを備える、請求項７１に記載の装置。
【請求項８３】
前記ＢＡメッセージは前記ビットによって確認されたＭＰＤＵの数を示すグループサイズフィールドを備える、請求項７１に記載の装置。
【請求項８４】
少なくとも１つのアンテナと、
前記少なくとも１つのアンテナを介して、複数のメディアアクセス制御（ＭＡＣ）プロトコルデータ単位（ＭＰＤＵ）を送信するように構成される送信機と、
前記少なくとも１つのアンテナを介して、ブロック確認（ＢＡ）メッセージを受信するように構成される受信機とを備え、前記ＢＡメッセージは前記複数のＭＰＤＵのうち２つ以上からなるグループの受信を確認するためのビットを備えたビットマップを備える、ワイヤレスノード。
【請求項８５】
ワイヤレス通信のためのコンピュータプログラム製品であって、
複数のメディアアクセス制御（ＭＡＣ）プロトコルデータ単位（ＭＰＤＵ）を送信し、
前記複数のＭＰＤＵのうち２つ以上からなるグループの受信を確認するためのビットを備えたビットマップを備えるブロック確認（ＢＡ）メッセージを受信するように実行可能な複数の命令を備えるコンピュータ可読媒体を備えるコンピュータプログラム製品。
【発明の詳細な説明】
【関連出願の相互参照】
【０００１】
本出願は、参照によって本明細書に組み込まれている、２０１０年８月１８日に出願した米国特許仮出願第６１／３７４，８８５号（代理人整理番号第１０２５９６Ｐ１号）の利益を主張する。
【技術分野】
【０００２】
本開示のいくつかの態様は概してワイヤレス通信に関し、より詳細には、メディアアクセス制御（ＭＡＣ）プロトコルデータ単位（ＭＰＤＵ）の送信、受信、および確認に関する。
【背景技術】
【０００３】
ワイヤレス通信システムに要求される帯域幅要件の増大の問題に対処するために、様々な方式が開発され、複数のユーザ端末が高いデータスループットを達成しながらチャネルリソースを共有することによって単一のアクセスポイントと通信するようにさせている。多入力多出力（ＭＩＭＯ）技術は、次世代通信システム用に評判の技法として最近登場した１つのそうした手法である。ＭＩＭＯ技術は、米国電気電子技術者協会（ＩＥＥＥ）８０２．１１規格など、いくつかの新生のワイヤレス通信規格において採用されている。ＩＥＥＥ８０２．１１は、（例えば、数十メートルから数百メートルの）短距離通信用にＩＥＥＥ８０２．１１委員会によって開発されたワイヤレスローカルエリアネットワーク（ＷＬＡＮ）エアインターフェース規格のセットを示す。
【０００４】
ＭＩＭＯシステムは、データ伝送に複数（ＮT個）の送信アンテナおよび複数（ＮR個)の受信アンテナを採用する。ＮT個の送信アンテナおよびＮR個の受信アンテナによって形成されるＭＩＭＯチャネルは、ＮS個の独立チャネルに分解可能で、これは空間チャネルとも呼ばれ、ＮS≦ｍｉｎ｛ＮT，ＮR｝である。ＮS個の独立チャネルの各々は１つの次元に対応する。複数の送信アンテナおよび受信アンテナによって生成された追加の次元数が利用される場合、ＭＩＭＯシステムは改善されたパフォーマンス（例えば、より高いスループットおよび／またはより大きい信頼性）を与えることができる。
【０００５】
単一アクセスポイント（ＡＰ）および複数のユーザ局（ＳＴＡ）を有するワイヤレスネットワークでは、アップリンクとダウンリンク方向の両方で、異なる局に向かって複数のチャネル上で同時送信が起こり得る。このようなシステムには多くの課題が存在する。
【発明の概要】
【０００６】
本開示のいくつかの態様は、ワイヤレス通信のための方法を提供する。この方法は概して、複数のメディアアクセス制御（ＭＡＣ）プロトコルデータ単位（ＭＰＤＵ）を受信することと、ブロック確認（ＢＡ）メッセージを送信することを含み、ＢＡメッセージは複数のＭＰＤＵのうち２つ以上からなるグループの受信を確認するためのビットを備えたビットマップを備える。
【０００７】
本開示のいくつかの態様は、ワイヤレス通信のための装置を提供する。この装置は概して、複数のＭＡＣプロトコルデータ単位（ＭＰＤＵ）を受信するように構成される受信機と、ブロック確認（ＢＡ）メッセージを送信するように構成される送信機とを含み、ＢＡメッセージは複数のＭＰＤＵのうち２つ以上からなるグループの受信を確認するためのビットを備えたビットマップを備える。
【０００８】
本開示のいくつかの態様は、ワイヤレス通信のための装置を提供する。この装置は概して、複数のＭＡＣプロトコルデータ単位（ＭＰＤＵ）を受信するための手段と、ブロック確認（ＢＡ）メッセージを送信するための手段とを含み、ＢＡメッセージは複数のＭＰＤＵのうち２つ以上からなるグループの受信を確認するためのビットを備えたビットマップを備える。
【０００９】
本開示のいくつかの態様は、ワイヤレスノードを提供する。このワイヤレスノードは概して、少なくとも１つのアンテナと、少なくとも１つのアンテナを介して、複数のＭＡＣプロトコルデータ単位（ＭＰＤＵ）を受信するように構成される受信機と、少なくとも１つのアンテナを介して、ブロック確認（ＢＡ）メッセージを送信するように構成される送信機とを含み、ＢＡメッセージは複数のＭＰＤＵのうち２つ以上からなるグループの受信を確認するためのビットを備えたビットマップを備える。
【００１０】
本開示のいくつかの態様は、ワイヤレス通信のためのコンピュータプログラム製品を提供する。このコンピュータプログラム製品は概して、複数のＭＡＣプロトコルデータ単位（ＭＰＤＵ）を受信し、ブロック確認（ＢＡ）メッセージを送信するように実行可能な複数の命令を有するコンピュータ可読媒体を含み、ＢＡメッセージは複数のＭＰＤＵのうち２つ以上からなるグループの受信を確認するためのビットを備えたビットマップを備える。
【００１１】
本開示のいくつかの態様は、ワイヤレス通信のための方法を提供する。この方法は概して、複数のＭＡＣプロトコルデータ単位（ＭＰＤＵ）を送信することと、ブロック確認（ＢＡ）メッセージを受信することとを含み、ＢＡメッセージは複数のＭＰＤＵのうち２つ以上からなるグループの受信を確認するためのビットを備えたビットマップを備える。
【００１２】
本開示のいくつかの態様は、ワイヤレス通信のための装置を提供する。この装置は概して、複数のＭＡＣプロトコルデータ単位（ＭＰＤＵ）を送信するように構成される送信機と、ブロック確認（ＢＡ）メッセージを受信するように構成される受信機とを含み、ＢＡメッセージは複数のＭＰＤＵのうち２つ以上からなるグループの受信を確認するためのビットを備えたビットマップを備える。
【００１３】
本開示のいくつかの態様は、ワイヤレス通信のための装置を提供する。この装置は概して、複数のＭＡＣプロトコルデータ単位（ＭＰＤＵ）を送信するための手段と、ブロック確認（ＢＡ）メッセージを受信するための手段とを含み、ＢＡメッセージは複数のＭＰＤＵのうち２つ以上からなるグループの受信を確認するためのビットを備えたビットマップを備える。
【００１４】
本開示のいくつかの態様は、ワイヤレスノードを提供する。このワイヤレスノードは概して、少なくとも１つのアンテナと、少なくとも１つのアンテナを介して、複数のＭＡＣプロトコルデータ単位（ＭＰＤＵ）を送信するように構成される送信機と、少なくとも１つのアンテナを介して、ブロック確認（ＢＡ）メッセージを受信するように構成される受信機とを含み、ＢＡメッセージは複数のＭＰＤＵのうち２つ以上からなるグループの受信を確認するためのビットを備えたビットマップを備える。
【００１５】
本開示のいくつかの態様は、ワイヤレス通信のためのコンピュータプログラム製品を提供する。このコンピュータプログラム製品は概して、複数のＭＡＣプロトコルデータ単位（ＭＰＤＵ）を送信し、ブロック確認（ＢＡ）メッセージを受信するように実行可能な複数の命令を有するコンピュータ可読媒体を含み、ＢＡメッセージは複数のＭＰＤＵのうち２つ以上からなるグループの受信を確認するためのビットを備えたビットマップを備える。
【００１６】
本開示の上述の特徴を詳細に理解できるように、添付の図面にその一部を示す態様を参照することによって、上記で簡単に要約したより具体的な説明を得ることができる。しかし、添付の図面は、本開示の特定の典型的な態様のみを示し、従って、本開示の範囲の限定とみなされてはならず、その理由は、この説明がその他の同等の効果のある態様をもたらし得るからであることに留意されたい。
【図面の簡単な説明】
【００１７】
【図１】本開示のいくつかの態様によるワイヤレス通信ネットワークの図。
【図２】本開示のいくつかの態様による、例示的アクセスポイントおよびユーザ端末のブロック図。
【図３】本開示の特定の態様による例示的ワイヤレスデバイスのブロック図。
【図４】本開示のいくつかの態様による、アグリゲートＭＡＣプロトコルデータ単位（Ａ−ＭＰＤＵ）を送信し、ブロック確認（ＢＡ）を受信するための例示的動作を示す図。
【図４Ａ】図４に示す動作を行うことが可能な例示的手段を示す図。
【図５】本開示のいくつかの態様による、Ａ−ＭＰＤＵを受信し確認するための例示的動作を示す図。
【図５Ａ】図５に示す動作を行うことが可能な例示的手段を示す図。
【図６】本開示のいくつかの態様による、ＭＰＤＵグループ指示フィールドを有する例示的ＭＰＤＵフレーム構造を示す図。
【図７】本開示のいくつかの態様による、グループを埋めるためのヌルＭＰＤＵを有するＭＰＤＵの例示的送信を示す図。
【図８】本開示のいくつかの態様による、ブロックＡｃｋパラメータセット用の例示的フィールドを示す図。
【図９】本開示のいくつかの態様による、デリミタ拡張を有する例示的ＭＰＤＵフレーム構造を示す図。
【図１０】本開示のいくつかの態様による、例示的デリミタ拡張を示す図。
【図１１】本開示のいくつかの態様による、デリミタ拡張を有する例示的ＭＰＤＵフレーム構造を示す図。
【図１２】本開示のいくつかの態様による、同じ超高スループット（ＶＨＴ）シーケンス番号を共有するいくつかの比較的小さいフレームがまとめてグループ化されている例示的送信を示す図。
【図１３】本開示のいくつかの態様による、例示的なＭＡＣフレームフォーマットを示す図。
【図１４】本開示のいくつかの態様による、例示的なフレーム制御フィールドを示す図。
【図１５】本開示のいくつかの態様による、例示的なシーケンス制御フィールドを示す図。
【図１６】本開示のいくつかの態様による、フラグメント終結およびフラグメントカウントフィールドで増補される例示的ＭＰＤＵデリミタを示す図。
【発明を実施するための形態】
【００１８】
添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これら態様は、本開示が周到で完全になり、本開示の範囲を当業者に十分に伝えるために与えるものである。本明細書の教示に基づいて、本開示の範囲は、本開示の他の態様とは無関係に実現されるにせよ、本開示の他の態様と組み合わせて実現されるにせよ、本明細書で開示する本開示のいかなる態様をもカバーするものであることを、当業者なら諒解されたい。例えば、本明細書に記載の態様をいくつか使用して、装置を実現し、または方法を実践できる。さらに、本開示の範囲は、本明細書に記載の本開示の様々な態様に加えてまたはそれらの態様以外に、他の構造、機能、または構造および機能を使用して実践されるこのような装置またはこのような方法をカバーするものとする。本明細書で開示する本開示の任意の態様が請求項の１つまたは複数の要素によって実施できることを理解されたい。
【００１９】
「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００２０】
本明細書では特定の態様について説明するが、これら態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００２１】
例示的なワイヤレス通信システム
本明細書に記載の技法は、直交多重化方式に基づくブロードバンドワイヤレス通信システムを含む様々な通信システムに使用され得る。このような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、十分に異なる方向を使用して、複数のユーザ端末に属すデータを同時に送信できる。ＴＤＭＡシステムは、送信信号を異なるタイムスロットに分割することによって、複数のユーザ端末に同じ周波数チャネルを共有させることができ、各タイムスロットは異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらサブキャリアは、トーン、ビンなどと呼ぶこともできる。ＯＦＤＭでは、各サブキャリアはデータで独立して変調できる。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用できる。一般に、変調シンボルは、ＯＦＤＭでは周波数領域で、ＳＣ−ＦＤＭＡでは時間領域で送信される。
【００２２】
本明細書の教示は、様々なワイヤードまたはワイヤレス装置（例えば、ノード）に組み込まれ得る（例えば、この装置内で実現され、またはこの装置によって行われ得る）。いくつかの態様では、本明細書の教示に従って実現されるワイヤレスノードはアクセスポイントまたはアクセス端末を備え得る。
【００２３】
アクセスポイント（「ＡＰ」）は、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実現されるか、あるいはそれらのいずれかとして知られていることがある。
【００２４】
アクセス端末（「ＡＴ」）は、アクセス端末、加入者局、加入者ユニット、移動局、リモート局、リモート端末、ユーザ端末、ユーザエージェント、ユーザデバイス、ユーザ機器（「ＵＥ」）、ユーザ局、または何らかの他の用語を備えるか、それらのいずれかとして実現されるか、あるいはそれらのいずれかとして知られていることがある。いくつかの実現形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。従って、本明細書で教示する１つまたは複数の態様は、電話（例えば、セルラー電話またはスマートフォン）、コンピュータ（例えば、ラップトップ）、ポータブル通信デバイス、ポータブルコンピューティングデバイス（例えば、個人情報端末）、娯楽デバイス（例えば、音楽またはビデオデバイス、あるいは衛星ラジオ）、全地球測位システムデバイス、あるいはワイヤレスまたはワイヤード媒体を介して通信するように構成される他の好適なデバイスに組み込まれ得る。いくつかの態様では、ノードはワイヤレスノードである。例えば、このようなワイヤレスノードは、ワイヤードまたはワイヤレス通信リンクを介した、ネットワーク（例えば、インターネットまたはセルラーネットワークなど、ワイドエリアネットワーク）のための、またはネットワークへの接続性を与え得る。
【００２５】
図１は、アクセスポイントおよびユーザ端末を持つ多元接続多入力多出力（ＭＩＭＯ）システム１００を示す。簡単のために、ただ１つのアクセスポイント１１０が図１に示される。アクセスポイントは、一般に、ユーザ端末と通信する固定局であり、基地局または何らかの他の用語で呼ばれることもある。ユーザ端末は、固定でも移動でもよく、移動局、ワイヤレスデバイスまたは何らかの他の用語で呼ばれることもある。アクセスポイント１１０は、ダウンリンクおよびアップリンク上で所与の瞬間において１つまたは複数のユーザ端末１２０と通信できる。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアに通信できる。システムコントローラ１３０は、アクセスポイントに結合し、アクセスポイントの調整および制御を行う。
【００２６】
以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含むことができる。従って、このような態様では、ＡＰ１１０は、ＳＤＭＡユーザ端末と非ＳＤＭＡユーザ端末の両方と通信するように構成できる。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長できる。
【００２７】
システム１００は、ダウンリンクおよびアップリンク上でのデータ伝送のために複数の送信および複数の受信アンテナを採用する。アクセスポイント１１０は、Ｎap個のアンテナを備え、ダウンリンク送信のための多入力（ＭＩ）およびアップリンク送信のための多出力（ＭＯ）を表す。Ｋ個の選択されたユーザ端末１２０のセットは、ダウンリンク送信のための多出力およびアップリンク送信のための多入力を集合的に表す。純粋なＳＤＭＡの場合、Ｋ個のユーザ端末のためのデータシンボルストリームが、何らかの手段によって、コード、周波数、または時間で多重化されない場合、Ｎap≧Ｋ≧１であることが望まれ、ＴＤＭＡ技法、ＣＤＭＡを用いた様々なコードチャネル、ＯＦＤＭを用いたサブバンドの独立セットなどを使用してデータシンボルストリームを多重化できる場合、ＫはＮapよりも大きくできる。各選択されたユーザ端末は、ユーザ固有のデータをアクセスポイントに送信し、および／またはアクセスポイントからユーザ固有のデータを受信する。一般に、各選択されたユーザ端末は、１つまたは複数のアンテナを備えることができる（すなわち、Ｎut≧１）。Ｋ個の選択されたユーザ端末は、同じまたは異なる数のアンテナを有することができる。
【００２８】
ＭＩＭＯシステム１００は時分割複信（ＴＤＤ）システムまたは周波数分割複信（ＦＤＤ）システムとすることができる。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用できる。各ユーザ端末は、（例えば、コストを抑えるために）単一のアンテナを備えることができ、または（例えば、追加費用をサポートできる場合）複数のアンテナを備えることができる。ユーザ端末１２０が、送信／受信を異なるタイムスロットに分割することによって、同じ周波数チャネルを共有する場合、システム１００は、ＴＤＭＡシステムであってもよく、各タイムスロットは、異なるユーザ端末１２０に割り当てられる。
【００２９】
図２は、ＭＩＭＯシステム１００におけるアクセスポイント１１０と２つのユーザ端末１２０ｍおよび１２０ｘとのブロック図を示す。アクセスポイント１１０は、Ｎt個のアンテナ２２４ａ〜２２４ｔを備える。ユーザ端末１２０ｍは、Ｎut,m個のアンテナ２５２ｍａ〜２５２ｍｕを備え、ユーザ端末１２０ｘは、Ｎut,x個のアンテナ２５２ｘａ〜２５２ｘｕを備える。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時伝送のために選択され、Ｎdn個のユーザ端末がダウンリンク上での同時伝送のために選択され、Ｎupは、Ｎdnに等しいことも等しくないこともあり、ＮupおよびＮdnは、静的な値であるかまたはスケジュール間隔ごとに変化できる。アクセスポイントおよびユーザ端末においてビームステアリングまたは何らかの他の空間処理技法が使用できる。
【００３０】
アップリンク上では、アップリンク送信のために選択された各ユーザ端末１２０において、ＴＸデータプロセッサ２８８がデータソース２８６からトラフィックデータを受信し、コントローラ２８０から制御データを受信する。ＴＸデータプロセッサ２８８は、ユーザ端末のための選択されたレートに関連するコーディングおよび変調方式に基づいて、ユーザ端末のためのトラフィックデータを処理（例えば、符号化、インターリーブ、および変調）し、データシンボルストリームを与える。ＴＸ空間プロセッサ２９０は、データシンボルストリームに対して空間処理を行い、Ｎut,m個の送信シンボルストリームをＮut,m個のアンテナに供給する。各送信機ユニット（ＴＭＴＲ）２５４は、アップリンク信号を発生するために、該当の送信シンボルストリームを受信し、処理（例えば、アナログ変換、増幅、フィルタ処理、および周波数アップコンバート）する。Ｎut,m個の送信機ユニット２５４は、Ｎut,m個のアンテナ２５２からアクセスポイントへの送信のためのＮut,m個のアップリンク信号を与える。
【００３１】
アップリンク上での同時伝送のためにＮup個のユーザ端末がスケジュールできる。これらユーザ端末の各々は、そのデータシンボルストリームに対して空間処理を行い、アップリンク上で送信シンボルストリームのそのセットをアクセスポイントに送信する。
【００３２】
アクセスポイント１１０において、Ｎap個のアンテナ２２４ａ〜２２４ａｐは、アップリンク上で送信する全てのＮup個のユーザ端末からアップリンク信号を受信する。各アンテナ２２４は、受信信号を該当の受信機ユニット（ＲＣＶＲ）２２２に供給する。各受信機ユニット２２２は、送信機ユニット２５４によって行われる処理を補足する処理を行い、受信シンボルストリームを与える。ＲＸ空間プロセッサ２４０は、Ｎap個の受信機ユニット２２２からのＮap個の受信シンボルストリームに対して受信機空間処理を行い、Ｎup個の復元されたアップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って行われる。各復元されたアップリンクデータシンボルストリームは、該当のユーザ端末によって送信されたデータシンボルストリームの推定値である。ＲＸデータプロセッサ２４２は、復号データを得るために、このストリームのために使用されたレートに応じて各復元されたアップリンクデータシンボルストリームを処理（例えば、復調、デインターリーブ、および復号）する。各ユーザ端末の復号データは、記憶のためにデータシンク２４４に供給でき、および／またはさらなる処理のためにコントローラ２３０に供給できる。
【００３３】
ダウンリンク上では、アクセスポイント１１０において、ＴＸデータプロセッサ２１０がダウンリンク送信のためにスケジュールされたＮdn個のユーザ端末ためのデータソース２０８からトラフィックデータを受信し、コントローラ２３０から制御データを受信し、場合によってはスケジューラ２３４から他のデータを受信する。様々なタイプのデータは様々なトランスポートチャネル上で送信できる。ＴＸデータプロセッサ２１０は、このユーザ端末のために選択されたレートに基づいて各ユーザ端末のトラフィックデータを処理（例えば、符号化、インターリーブ、変調）する。ＴＸデータプロセッサ２１０は、Ｎdn個のダウンリンクデータシンボルストリームをＮdn個のユーザ端末に供給する。ＴＸ空間プロセッサ２２０は、Ｎdn個のダウンリンクデータシンボルストリームに対して空間処理（本開示に記載するプリコーディングまたはビームフォーミングなど）を行い、Ｎap個のアンテナにＮap個の送信シンボルストリームを与える。各送信機ユニット２２２は、ダウンリンク信号を発生するために、該当の送信シンボルストリームを受信し、処理する。Ｎap個の送信機ユニット２２２はＮap個のアンテナ２２４からユーザ端末への送信のためのＮap個のダウンリンク信号を与えている。
【００３４】
各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を行い、復元されたダウンリンクデータシンボルストリームをユーザ端末に供給する。受信機空間処理は、ＣＣＭＩ、ＭＭＳＥまたは何らかの他の技法に従って行われる。ＲＸデータプロセッサ２７０は、ユーザ端末のための復号データを得るために、復元されたダウンリンクデータシンボルストリームを処理（例えば、復調、デインターリーブ、および復号）する。
【００３５】
各ユーザ端末１２０において、チャネル推定器２７８は、ダウンリンクチャネル応答を推定し、チャネル利得推定値、ＳＮＲ推定値、ノイズ分散などを含み得るダウンリンクチャネル推定値を与える。同様に、チャネル推定器２２８は、アップリンクチャネル応答を推定し、アップリンクチャネル推定値を与える。各ユーザ端末用のコントローラ２８０は通常、このユーザ端末についての空間フィルタ行列を、このユーザ端末についてのダウンリンクチャネル応答行列Ｈdn,mに基づいて導出する。コントローラ２３０は、アクセスポイントについての空間フィルタ行列を、実効アップリンクチャネル応答行列Ｈup,effに基づいて導出する。各ユーザ端末用のコントローラ２８０は、フィードバック情報（例えば、ダウンリンクおよび／またはアップリンク固有ベクトル、固有値、ＳＮＲ推定値など）をアクセスポイントに送ることができる。コントローラ２３０および２８０はアクセスポイント１１０およびユーザ端末１２０における様々な処理ユニットの動作も制御する。
【００３６】
図３に、ＭＩＭＯシステム１００などのワイヤレス通信システム内で採用され得るワイヤレスデバイス３０２において利用され得る様々な構成要素を示す。ワイヤレスデバイス３０２は、本明細書で説明する様々な方法を実現するように構成され得るデバイスの一例である。ワイヤレスデバイス３０２はアクセスポイント１１０またはユーザ端末１２０であり得る。
【００３７】
ワイヤレスデバイス３０２は、ワイヤレスデバイス３０２の動作を制御するプロセッサ３０４を含むことができる。プロセッサ３０４は中央処理装置（ＣＰＵ）と呼ばれることもある。読取り専用メモリ（ＲＯＭ）とランダムアクセスメモリ（ＲＡＭ）の両方を含み得るメモリ３０６は、複数の命令およびデータをプロセッサ３０４に供給する。メモリ３０６の一部は不揮発性ランダムアクセスメモリ（ＮＶＲＡＭ）をも含み得る。プロセッサ３０４は、一般に、メモリ３０６内に記憶された複数のプログラム命令に基づいて、論理および演算動作を行う。メモリ３０６における複数の命令は、本明細書で説明する方法を実現するように実行可能であり得る。
【００３８】
ワイヤレスデバイス３０２は、ワイヤレスデバイス３０２と遠隔地との間のデータの送信および受信を可能にするために送信機３１０および受信機３１２を含み得るハウジング３０８を含むこともできる。送信機３１０および受信機３１２はトランシーバ３１４に組み合わされ得る。単一または複数の送信アンテナ３１６は、ハウジング３０８に取り付けられ、トランシーバ３１４に電気的に結合され得る。ワイヤレスデバイス３０２は、複数の送信機、複数の受信機、複数のトランシーバをも含み得る（図示せず）。
【００３９】
ワイヤレスデバイス３０２は、トランシーバ３１４によって受信された信号のレベルを検出および定量化するために使用できる信号検出器３１８をも含むことができる。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００４０】
ワイヤレスデバイス３０２の様々な構成要素は、データバスに加えて、パワーバス、制御信号バス、およびステータス信号バスを含み得るバスシステム３２２によって互いに結合され得る。
【００４１】
図１のＭＩＭＯシステム１００などの次世代ＷＬＡＮにおいて、ダウンリンク（ＤＬ）マルチユーザ（ＭＵ）ＭＩＭＯ送信は、全体的なネットワークスループットを増大するための有望な技法であり得る。
【００４２】
例示的なＭＰＤＵグループ化
８０２．１１ａｃなどのＩＥＥＥ８０２．１１規格に対する様々な改正により、８０２．１１ネットワークにおいて、より高いスループットが可能になる。より高いスループットは、８０ＭＨｚまたは１６０ＭＨｚチャネル帯域幅の使用など、いくつかの方策により実現される。８０２．１１ａｃは、超高スループット（ＶＨＴ）とも呼ばれる。
【００４３】
スループットの増大を阻害する制限要因の１つは、パケットとも呼ばれるアグリゲートメディアアクセス制御（ＭＡＣ）プロトコルデータ単位（Ａ−ＭＰＤＵ）を、できるだけ多くのデータで埋めて、適度な持続期間の送信を可能にすることである。高物理層（ＰＨＹ）レートは、バックオフおよびＰＨＹヘッダーに関連したオーバーヘッドと比較して、効率的オーバージエア（ＯＴＡ）送信を可能にするのに十分な長さのＡ−ＭＰＤＵを作成するための取り組み中にアグリゲート(aggregate)される可能性が高い、かなりの量のデータを生成する。バックオフ用のフレームごとの２００μｓのオーバーヘッド、ＰＨＹヘッダー、および８０％の目標効率を仮定すると、ペイロードの持続期間は、少なくとも８００μｓ（１ｍｓの総サイクル時間）になる可能性が高い。５ＧＨｚのＰＨＹレートを仮定すると、Ａ−ＭＰＤＵサイズは、約５００ｋＢになる。最大ＭＰＤＵサイズが８ｋＢである場合、このことは、Ａ−ＭＰＤＵごとに約６３個のＭＰＤＵがアグリゲートされるべきであることを意味する。
【００４４】
ブロックＡｃｋ（ＢＡ）フレームの一部である現在の再伝送ビットマップは、６４個の個別ＭＰＤＵを確認することを可能にする。実際、パケットごとのＭＰＤＵの最大数は、再伝送ビットマップの約２０％を超えるべきではないので、再伝送ビットマップ用の実際の数は、３１３ビットになるはずであり、これは、現在の再伝送ビットマップよりもほぼ５倍大きい。
【００４５】
本開示のいくつかの態様は、ＢＡビットマップ中の複数の単一ビットに、複数のＭＰＤＵの受信を確認させる。この結果、各ビットが単一ＭＰＤＵのみを確認する場合よりも、大きい数のＭＰＤＵに対して確認を行うことができる。再送信ビットマップに関連付けられたオーバーヘッドを削減することによって、より大きい数のＭＰＤＵをアグリゲートでき、これによって全体的スループットを増大する。
【００４６】
いくつかの態様によると、ＭＰＤＵグループ化は、チャネル条件に基づいて動的に調整できる。このようにして、ブロックサイズ（例えば、各ビットで確認されるＭＰＤＵの数）は、チャネル条件に基づいて調整できる。追加または代替として、ＭＰＤＵのグループまたは個々のＭＰＤＵが各ビットで確認されるかどうかも、動的に調整できる。
【００４７】
図４は、本開示のいくつかの態様による、Ａ−ＭＰＤＵを送信し、ＢＡを受信するための例示的動作４００を示す。動作４００は、例えば、ＡＰや局（ＳＴＡ）など、どの送信デバイスによっても行える。
【００４８】
動作４００は、４０２で始まり、複数のＭＰＤＵを送信する。４０４で、ＢＡメッセージが受信され、ＢＡメッセージは、２つ以上のＭＰＤＵからなるグループの受信を確認するためのビットを持ったビットマップを備える。このビットは、グループの各ＭＰＤＵが成功裡に受信されたことを確認できる。いくつかの態様の場合、ＢＡメッセージは１つまたは複数のビットを備えてよく、これらビットの各々は１つまたは複数のＭＰＤＵからなるグループの受信を確認するものである。いくつかの態様の場合、ＢＡメッセージは、ビットによって確認されたＭＰＤＵの数を示すグループサイズフィールドを備え得る。
【００４９】
いくつかの態様によると、各ＭＰＤＵは、このＭＰＤＵがグループに属すかどうかの指示とともに送信でき、ビットマップは、グループに属さないＭＰＤＵを個々に確認するための少なくとも１つのビットを備え得る。いくつかの態様の場合、各ＭＰＤＵがグループに属すかどうかの指示は、デリミタ拡張の存在を示し得るＭＰＤＵデリミタフィールド中で与えられ得る。デリミタ拡張はＶＨＴシーケンス番号を備えることができ、同じグループの複数のＭＰＤＵは同じＶＨＴシーケンス番号を有し得る。他の態様の場合、各ＭＰＤＵがグループに属すかどうかの指示は、ＭＡＣヘッダーのフラグメントフィールド中で与えられ得る。このフラグメントフィールドは、ＭＰＤＵがグループにおける最終ＭＰＤＵであるかどうかを示すビットを備え得る。いくつかの態様によると、同じグループ中の複数のＭＰＤＵが同じシーケンス番号を有し得るが、異なるサブフレームシーケンス番号を有し得る。他の態様によると、同じグループ中の複数のＭＰＤＵが増加シーケンス番号を有し得る。
【００５０】
いくつかの態様の場合、動作４００は、グループサイズｎを判断することも含んでよく、ビットマップ中のビットは、４０４で、同じグループ中のｎ個のＭＰＤＵの受信を確認するものである。グループサイズｎは、ＭＰＤＵが送信される先の装置（例えば、ＳＴＡ）との通信（例えば、交渉）により判断できる。動作４００は、交渉の一部として、グループサイズｎを含むグループ化メッセージをこの装置に送ること、および、グループ化メッセージがこの装置によって成功裡に受信されたという確証を受信するまで、グループ化されたＭＰＤＵを送るのをサスペンドすることも含み得る。ビットマップは、ｎ未満のＭＰＤＵを備える最終グループの受信を確認する少なくとも１つのビットを備え得る。動作４００は、ｎ個のＭＰＤＵからなる少なくとも１つのグループについて、データを含むｎ−ｍ個のＭＰＤＵおよびｍ個のヌルＭＰＤＵを送信することも含み得る。
【００５１】
いくつかの態様によると、ＢＡメッセージは、ｎ個のＭＰＤＵからなるグループを確認するのに使われビットマップ中の１つまたは複数のビットを示す別のビットを備え得る。この場合、動作４００は、ｎ個のＭＰＤＵからなるグループを確認するのに使われビットマップ中のビットを持つＢＡメッセージの要求を示すビットを備えるＢＡ要求（ＢＡＲ）メッセージを送信することも含み得る。ＢＡＲメッセージは、ｎの値を示すグループサイズフィールドを備え得る。
【００５２】
図５は、本開示のいくつかの態様による、Ａ−ＭＰＤＵを受信し確認するための例示的動作５００を示す。動作５００は、例えば、ＡＰや局など、どの受信デバイスによっても行える。
【００５３】
動作５００は、５０２で始まり、複数のＭＰＤＵを受信する。５０４で、ＢＡメッセージが送信され、ＢＡメッセージは、２つ以上のＭＰＤＵからなるグループの受信を確認するためのビットを持ったビットマップを備える。いくつかの態様の場合、ＢＡメッセージは、いくつかのビットを備えてよく、各ビットが、ＭＰＤＵグループの受信を確認する。
【００５４】
いくつかの態様の場合、各ＭＰＤＵは、このＭＰＤＵがグループに属すかどうかの指示とともに受信でき、ビットマップは、グループに属さないＭＰＤＵを個々に確認するための少なくとも１つのビットを備え得る。いくつかの態様の場合、この指示は、デリミタ拡張の存在を示し得るＭＰＤＵデリミタフィールド中で与えられ得る。デリミタ拡張はＶＨＴシーケンス番号を備えてよく、同じグループの複数のＭＰＤＵは同じＶＨＴシーケンス番号を有し得る。他の態様の場合、この指示は、ＭＡＣヘッダーのフラグメントフィールド中で与えられ得る。この場合、フラグメントフィールドは、ＭＰＤＵがグループにおける最終ＭＰＤＵであるかどうかを示すビットを備え得る。いくつかの態様の場合、各ＭＰＤＵは、このＭＰＤＵがグループにおける最終ＭＰＤＵであるかどうかの指示とともに受信され得る。
【００５５】
いくつかの態様の場合、ビットは、５０４で、対応するシーケンス番号中の１つまたは複数の最下位ビット（ＬＳＢ）のマスキングに基づいてグループ化されたＭＰＤＵグループを確認できる。
【００５６】
いくつかの態様によると、動作５００は、グループサイズｎを判断することを含んでよく、ビットマップ中のビットは、同じグループ中のｎ個のＭＰＤＵの受信を確認するものである。グループサイズｎは、ＡＰなどの装置との交渉により決定できる。この交渉は、ブロック確認追加（ＡＤＤＢＡ）要求と、応答メッセージとの交換を伴い得る。動作５００は、交渉の一部として、この装置から、グループサイズｎを示すグループ化メッセージを受信すること、およぴグループ化メッセージの受信を確証する確証メッセージをこの装置に送ることも含んでよく、装置は、確証メッセージを受信するまで、グループ化されたＭＰＤＵを送るのをサスペンドする（すなわち、確証メッセージは、装置が、グループ化ＭＰＤＵを送るのを再開するのをトリガする）。いくつかの態様の場合、同じグループ中の複数のＭＰＤＵが同じシーケンス番号を有し得るが、異なるサブフレームシーケンス番号を有し得る。他の態様の場合、同じグループ中の複数のＭＰＤＵが増加シーケンス番号を有し得る。いくつかの態様の場合、ビットマップは、ｎ未満のＭＰＤＵを備える最終グループの受信を確認する少なくとも１つのビットを備え得る。この場合、動作５００は、フレーム終結（ＥＯＦ）デリミタの検出またはデータ終結の検出の少なくとも１つに基づいて、最終グループがｎ未満のＭＰＤＵを備えると判断することも含み得る。
【００５７】
いくつかの態様の場合、ＢＡメッセージは、ｎ個のＭＰＤＵからなるグループを確認するのに使われビットマップ中の１つまたは複数のビットを示す別のビットを備え得る。このような場合、動作５００は、ｎ個のＭＰＤＵからなるグループを確認するのに使われビットマップ中のビットを持ったＢＡメッセージの要求を示すさらに別のビットを備えるＢＡ要求（ＢＡＲ）メッセージを受信することをさらに含み得る。ＢＡＲメッセージは、ｎの値を示すグループサイズフィールドを備え得る。グループサイズフィールドは、ＢＡＲメッセージの制御フィールドのうち少なくとも１つのビットを備え得る。
【００５８】
いくつかの態様の場合、ＢＡメッセージは、ビットによって確認されたＭＰＤＵの数を示すグループサイズフィールドを備え得る。グループサイズフィールドは、ＢＡメッセージの制御フィールドのうち少なくとも１つのビットを備え得る。
【００５９】
いくつかの態様によると、複数のＭＰＤＵは、グループ化され、このＭＰＤＵがグループに属すという指示とともに送信され得る。例えば、図６は、Ａ−ＭＰＤＵサブフレーム６００の例示的フォーマットを示す。Ａ−ＭＰＤＵサブフレーム６００は、４オクテットのＭＰＤＵデリミタ６０２、可変長のＭＰＤＵ６０４、および最大３のパディングビット６０６を備え得る。ＭＰＤＵデリミタ６０２中の「ＭＰＤＵグループ」ビット６０８は、ＭＰＤＵ６０４がグループに属すという指示を与え得る。
【００６０】
いくつかの態様によると、ＭＰＤＵグループビットは、ＭＰＤＵがグループに属すかどうかを示すための、デリミタ中の（あらかじめ）予約されたビットを使って実装され得る。例えば、このビットが０の場合、ＭＰＤＵは、グループに属さない単一ＭＰＤＵであり、個々に確認されることになる。ビットが１の場合、ＭＰＤＵはグループに属し、受信機は、ｎ個のＭＰＤＵを受信する可能性が高い。いくつかの態様によると、グループ中のｎ個のＭＰＤＵは、同じシーケンス番号を有し得る。このようにして、ＢＡ機構は、不変のままでありながら、増加した数のＭＰＤＵが確認されるようにできる。
【００６１】
上記のように、従来のＢＡビットマップでは、ＢＡのビットマップ中のビットは、１つのＭＰＤＵに対応する。本明細書に提示する態様によると、送信機と受信機は、ＢＡビットマップ中の１つのビットに対応するために、ブロック長ｎについて交渉できる。受信機は、（ｋ−１）＊ｎ〜ｋ＊ｎ−１のシーケンス番号を持つ全てのＭＰＤＵが受信されている場合のみ、ＭＰＤＵブロックｋに対応するビットｋにマークすればよい。ブロック中のＭＰＤＵ（ｋ−１）＊ｎ〜ｋ＊ｎ−１のどの１つが欠けている場合であっても、ブロックｋに対応するビットにはマークしなくてよい。
【００６２】
いくつかの態様によると、ブロックＡＣＫフレーム中の開始シーケンス番号は、ブロックＡｃｋビットマップにおいて確認される、第１のＭＰＤＵブロックのうち第１のＭＰＤＵのシーケンス番号にセットされ得る。開始シーケンス番号は、ブロックＡｃｋビットマップにおいて確認される第１のブロックのブロック索引にセットしてもよい。どの規約が選択されるかは、選択の余地がある。ブロック索引は、ＭＰＤＵシーケンス番号をｎで除算したもの（ＭＰＤＵシーケンス番号／ｎ）を、０の桁（0 digits）まで切り捨てたものと等しくなり得る。
【００６３】
図７に示す例において、選ばれるブロックサイズは、ｎ＝４の値である。従って、ＭＰＤＵ−０〜ＭＰＤＵ−３が受信されている場合はブロックｋ＝１に、ＭＰＤＵ−４〜ＭＰＤＵ−７が受信される場合はｋ＝２に対応するＢＡビットマップがマークされ、以下同様である。説明したように、いくつかの態様によると、送信機は、ｎ未満であり得る、残っているまたは「残余」ＭＰＤＵを除いて、ｎのグループ中の可能な限り多くのＭＰＤＵを送ることができる。これらは、「非グループ化」で送信されてよく、またはｋ＝３の場合、図７に示すように、ｎに達するように、ヌルＭＰＤＵを追加できる。
【００６４】
この技法は、Ｔが固定の定数である、（ｋ−１）＊ｎ〜ｋ＊ｎ−１＋Ｔにわたるブロックを、ＢＡビットマップ中のビットが確認するケースに容易に拡張され得ることに留意されたい。（ＭＰＤＵシーケンス番号）ｍｏｄ  ｎ＝０は、Ｔ＝０の場合のブロック中の第１のＭＰＤＵのシーケンス番号を示す。Ｔが非ゼロのとき、（ＭＰＤＵシーケンス番号）ｍｏｄ  ｎ＝Ｔは、ブロック中の第１のＭＰＤＵのシーケンス番号を示す。
【００６５】
いくつかの態様によると、全てのＡ−ＭＰＤＵが整数個のＭＰＤＵブロックを含むことを送信機が保証する場合は、実現の観点から、より容易になり得る（ただし本質的ではない）。ただし、バッファ中に、ブロックを完成するのに不十分なデータしかない場合、送信機は、ブロックを完成するための、ＱｏＳヌルというタイプの最大ｎ−１個のＭＰＤＵを付加すればよい。言い換えると、送信機は、ｍ個のヌルＭＰＤＵが後続しデータを含むｎ-ｍ個のＭＰＤＵを送信でき、ｍは０〜ｎ−１の範囲である。図７に示す例では、ＭＰＤＵ−８の後のどのデータＭＰＤＵも利用可能ではない。送信機は、それゆえ、タイプＱｏＳヌルの３つ（この場合、ｎ＝４であるｎ−１個）のＭＰＤＵを付加して、ブロックを完成する。
【００６６】
ブロックをヌルフレームで埋めるための代替策は、ＭＰＤＵデリミタ６０２の中にブロック終結（ＥＯＢ）サブフィールドを定義することである。ＥＯＢサブフィールドが１のとき、デリミタに続くＭＰＤＵは、ブロックにおける最終ＭＰＤＵである。送信機は次いで、残っているＭＰＤＵシーケンス番号をスキップし、次のブロックの第１のシーケンス番号で再開することになる。
【００６７】
ＭＰＤＵブロック（すなわち、グループ）向けの単一ビット確認の能力は、能力交換メッセージ通信においてシグナリングできる。ブロックごとのＭＰＤＵの数、および開始ＭＰＤＵシーケンス番号についての交渉は、ＡＤＤＢＡ（ブロック確認追加）プロトコルにおける余剰メッセージ通信により搬送できる。いくつかの態様によると、送信機は、ブロックサイズｎを示す「グループ化メッセージ」を受信機が受信したという確証を受信するまで、グループ化ＭＰＤＵをサスペンドしてよい。図８は、ブロックサイズと、ＭＰＤＵグループ化を始めるための開始シーケンス番号とを示すのに使うことができるＢＡパラメータに含まれ得る例示的フィールド８０２、８０４を示す。
【００６８】
いくつかの態様によると、送信機および受信機は、複数のＭＰＤＵのグループサイズｎを事前に交渉できる。この場合、受信機は、ｎ個の順序ＭＰＤＵからなるグループを確認できる。いくつかの態様によると、最終グループは、ｎ未満のＭＰＤＵを持つ場合であっても確認され得る。
【００６９】
いくつかの態様による確認手順は、以下で説明するように起こり得る。受信機は、ＢＡの中に、正しく受信された第１のＭＰＤＵのシーケンス番号を含み得る。ＢＡビットマップ中の各ビットは、ＢＡ中の最初のシーケンス番号から開始して、ｎ個の正しく受信された順序ＭＰＤＵの複数を確認できる。
【００７０】
上述したように、最終グループは、ｎ未満のＭＰＤＵを有し得る。受信機は、ＭＰＤＵの数がｎ未満の場合であっても、最終グループを確認できる。受信機は、最終グループがｎ未満のＭＰＤＵを実際に含んでいたという判断を行うことができる。いくつかの態様によると、Ａ−ＭＰＤＵの終結は、フレーム終結（ＥＯＦ）デリミタまたはデータの終結の存在によって検出され得る。ＥＯＦが検出されない（巡回冗長検査（ＣＲＣ）エラー）場合、このことは、フレームエラーとみなすことができ、受信機は、追加ＭＰＤＵがあったかどうか分からないので、受信機は、最終グループを確認しなくてよい。送信機は、受信機から送信されたＢＡを受信でき、第１のシーケンス番号と、ビットマップと、送られた最終シーケンス番号の知識とに基づいて正確な判断を行うことができる。
【００７１】
図９および図１０に示すように、いくつかの態様によると、Ａ−ＭＰＤＵサブフレーム中のＭＰＤＵデリミタ６０２とＭＰＤＵ６０４との間に、ＶＨＴデリミタ拡張フィールド９０２が導入され得る。４オクテットにわたり、ＶＨＴデリミタ拡張フィールド９０２は、１２ビットのＶＨＴシーケンス番号フィールド１００２および８ビットのＶＨＴサブフレームシーケンス番号フィールド１００４を備え得る。いくつかの態様によると、単一ＶＨＴシーケンス番号を使うが、異なるＶＨＴサブフレームシーケンス番号を持つ複数のＭＰＤＵフレームが、（サブフレームとして）まとめてグループ化され得る。図１１に示すように、ＶＨＴデリミタ拡張フィールド９０２の存在は、例えばレガシーＭＰＤＵデリミタ１１０４中の「ＶＨＴフラグ」フィールド１１０２によって示され得る。
【００７２】
いくつかの態様によると、ＶＨＴシーケンス番号が、ＭＰＤＵシーケンス番号に取って代わり得る。言い換えると、各グループ（またはブロック）は、ＶＨＴシーケンス番号で識別できる。Ａ−ＭＰＤＵサブフレーム（すなわち、ＭＰＤＵ）すべてが正しく受信された場合にのみ、ブロックは、成功裡に受信されたとみなされ得る。いくつかの態様によると、ＶＨＴサブフレームシーケンス番号および最終サブフレームの指示は、判断を行うのに十分な情報を受信機に与え得る。自動再送要求（ＡＲＱ）目的のために、ＶＨＴシーケンス番号が、ＭＰＤＵシーケンス番号の代わりに使われ得る。この技法は、既存のＢＡフレーム構造に変更を加えずに実現できる。従って、ＭＰＤＵシーケンス番号は使わなくてよく、現在の実現形態の場合のままにしておけばよい。
【００７３】
ブロックはオンザフライで生成でき、ブロックごとのＭＰＤＵの数は動的に適応させることができる。いくつかの態様によると、チャネルがかなり良好である（すなわち、非常に高いチャネル品質を呈する）とき、送信機は、多くのサブフレームを持つ大規模グループを作成できる。チャネルが劣化するにつれ、グループ化はますます、最終的には単一ＭＰＤＵフレームにまで削減され得る。何が送出され、確認されているかを送信機が追跡する限り、ＶＨＴシーケンス番号割当て／グループ化をオンザフライで変更することさえも可能である。この手法により、極めて適応性のある機構が可能になる。図１２は、例示的送信を示し、ここで、いくつかの比較的小さいサブフレームが、同じＶＨＴシーケンス番号（例えば、この場合、ＶＨＴシーケンス番号＝３）を共有して、まとめてグループ化されている。
【００７４】
いくつかの態様によると、フラグメント番号フィールドは、複数のＭＰＤＵを単一シーケンス番号の下でグループ化する（「アグリゲートする」）のに使うことができ、そうすることによって、再伝送ビットマップの中の関係するビット数を削減する。
【００７５】
送信機は、同じシーケンス番号の下で送信される各後続ＭＰＤＵにおけるフラグメント番号を増大することによって、同じシーケンス番号を持つ複数のＭＰＤＵを送信できる。モアフラグメント（More Fragments）フィールドは、このフィールドが０にセットされたシーケンス番号の下で送信される最終ＭＰＤＵを除いて、１にセットすればよい。
【００７６】
受信機は、モアフラグメントフィールドが０にセットされたＭＰＤＵが受信されるときのシーケンス番号の受信を確認でき、全ての先行フラグメント番号が、このシーケンス番号に関して受信されている（すなわち、同じシーケンス番号を持ち、モアフラグメントフィールドが１にセットされたＭＰＤＵ）。
【００７７】
送信機は、所与のシーケンス番号について、この特定のシーケンス番号が受信されなかったことをＢＡビットマップが示すとき、全てのＭＰＤＵを再送信すればよい。
【００７８】
アグリゲートのためのフラグメント番号フィールドの使用は、交渉可能な能力である。アグリゲートのためのフラグメント番号フィールドの使用は、例えば、８０ＭＨｚや１６０ＭＨｚなど、特定のチャネル帯域幅において選択的に認められ得る。
【００７９】
フラグメント番号フィールドに基づくアグリゲートが使われるとき、フラグメント化の使用は、両方の機構が同じフレームヘッダーフィールドを使うので、禁止してよい（以下の説明を参照）。いくつかの態様によると、シーケンス番号ごとのアグリゲートＭＰＤＵの最大数については、前もって交渉できる。
【００８０】
いくつかの態様によると、どのシーケンス番号も一定数のＭＰＤＵを含まなければならないという規約がある場合があり、この場合、モアフラグメントフィールドは、シーケンス番号中の最終ＭＰＤＵを示すのに使われる必要はない（例えば、モアフラグメントフィールドは、いくつかの態様の場合は全てのＭＰＤＵについて０に、または他の態様の場合は１にセットされ得る）。この場合の単一ＭＰＤＵの送信は、このシーケンス番号の肯定応答を受信するために、ある特定の数のヌルＭＰＤＵが同じシーケンス番号の下で送信されることを必要とし得る。単一ＭＰＤＵの送信は、モアフラグメントフィールドを０にセットすることによって示すこともでき、アグリゲートＭＰＤＵの送信は、モアフラグメントフィールドを１にセットすることによって示すことができる（すなわち、このシーケンス番号についてアグリゲートされる最終ＭＰＤＵにおいても）。
【００８１】
図１３は、例示的８０２．１１ＭＡＣフレームフォーマット１３００を示す。ＭＡＣフレームフォーマット１３００は、ＭＡＣヘッダー１３０２、フレーム本体１３０４、およびフレーム検査シーケンス（ＦＣＳ）フィールド１３０６を備え得る。ＭＡＣヘッダーは、２オクテットのフレーム制御フィールド１３０８および２オクテットのシーケンス制御フィールド１３１０を備え得る。
【００８２】
図１４は、本開示のいくつかの態様による、「モアフラグメント」フィールド１４０２を有する例示的フレーム制御フィールド１３０８を示す。モアフラグメントフィールド１４０２は、上述したように単一ビットを備え得る。
【００８３】
図１５は、例示的シーケンス制御フィールド１３１０を示す。１６ビットにわたり、シーケンス制御フィールド１３１０は、４ビットのフラグメント番号フィールド１５０２および１２ビットのシーケンス番号フィールド１５０４を備え得る。
【００８４】
送信機の観点からの例示的動作は、以下で説明するように進み得る。送信機は、シーケンス番号０を持ち、モアフラグメントビットが（例えば、「１」に）セットされた第１のＭＰＤＵを送信できる。送信機は、シーケンス番号１を持ち、最終フラグメントメントを示すようにモアフラグメントビットがクリアされた（例えば、「０」にセットされた）第２のＭＰＤＵを送信できる。送信機は次いで、受信機からＢＡを受信できる。シーケンス番号０が成功裡に受信されたことをＢＡが示す場合、送信機は、第３のＭＰＤＵ（例えば、シーケンス番号１および「１」にセットされたモアフラグメントを持つ）と、第４のＭＰＤＵ（例えば、シーケンス番号１および「０」にセットされたモアフラグメントを持つ）とを送信し、これら動作を繰り返すことができる。一方、シーケンス番号０が成功裡に受信されなかったことをＢＡが示す場合、送信機は、第１および第２のＭＰＤＵを再送信すればよい。
【００８５】
受信機の観点からの例示的動作は、以下で説明するように進行し得る。受信機は、シーケンス番号０を持ち、モアフラグメントビットが（例えば、「１」に）セットされた第１のＭＰＤＵを受信できる。受信機は、シーケンス番号１を持ち、最終フラグメントメントを示すようにモアフラグメントビットがクリアされた（例えば、「０」にセットされた）第２のＭＰＤＵを受信できる。受信機は次いで、シーケンス番号０を持つ両方のＭＰＤＵの成功理の受信を示す単一ビットを持ったビットマップを有するＢＡを送信すればよい。受信機は次いで、追加ＭＰＤＵを同様に受信し得る。一方、受信機が第１のＭＰＤＵのみを受信し、第２のＭＰＤＵは受信しない場合、受信機は、シーケンス番号０が成功裡に受信されなかったことを示すＢＡを送信すればよい。
【００８６】
従来のＡ−ＭＰＤＵ方式では、各ＭＰＤＵは、一意のシーケンス番号を割り当てられる。本明細書に提示する技法では、２つ以上のＭＰＤＵに、同じシーケンス番号が割り当てられる。同じシーケンス番号を持つＭＰＤＵは、図１６に示すように、Ａ−ＭＰＤＵサブフレーム用のＭＰＤＵデリミタ６０２中の２つのフィールドにより区別できる。例えば、フラグメント終結フィールド１６０２中のビットは、同じシーケンス番号を持つＭＰＤＵのうち最終のものを除く全てのＭＰＤＵについてセットされ得る。フラグメントカウントフィールド１６０４は、同じシーケンス番号を持つ各連続ＭＰＤＵについて増分され得る。
【００８７】
所与のシーケンス番号の全てのＭＰＤＵは、ＢＡ中の単一ビットにより確認できる。Ａ−ＭＰＤＵパーサは、所与のシーケンス番号のＭＰＤＵすべてが正しく受信されるときのみ、このシーケンス番号のＭＰＤＵを再アセンブリキューに送ることができる。所与のシーケンス番号ＮのＭＰＤＵのいずれか１つでも受信されない場合、Ａ−ＭＰＤＵパーサは、シーケンス番号Ｎの、正しく受信されたＭＰＤＵを破棄してよく、送信機がＭＰＤＵを再送信するのを待てばよい。Ａ−ＭＰＤＵパーサは、ＭＰＤＵ中のシーケンス制御フィールドを最初に調べて、ＭＰＤＵすべてが同じブロックに属すかどうか判断すればよいことに留意されたい。
【００８８】
上述したように、グループ化のいくつかの態様によると、各ＭＰＤＵは、独自のシーケンス番号を持つことができる。リンクレートが低下した場合、ＡＰは、交渉されたブロックサイズよりも小さいサイズを有し得るＭＰＤＵのアグリゲートを送り、依然として単一ビットのブロックＡｃｋを取得できる。
【００８９】
代替または追加として、ＡＰは、グループ化モードと非グループ化モードとの間を動的に切り替え得る。いくつかの態様によると、ＭＰＤＵデリミタ中のインジケータ（例えば、１つのビット）は、グループ化が有効にされているかどうかをシグナリングできる。ビットがオンにされている（すなわち、セットされている）場合、ＳＴＡは、複数の確認されたＭＰＤＵ（または、複数の確認されたＭＰＤＵを各ビットが表す、１つまたは複数のビットを持ったＢＡビットマップ）を表す単一ビットを持ったＢＡを送ることができる。ビットがオフである（すなわち、クリアされている）場合、ＳＴＡは、各個々のＭＰＤＵについての別個のＢＡ（または、各個々のＭＰＤＵに対応する別個のビットを持ったＢＡビットマップ）を送ればよい。この例では、Ａ−ＭＰＤＵは、このようなインジケータビットを、全てのＭＰＤＵについてオンまたはオフのいずれかにすることができる。
【００９０】
いくつかの態様によると、ＭＰＤＵデリミタは、ＭＰＤＵがグループにおける最終ＭＰＤＵであるかどうかを示す「グループ終結（ＥＯＧ）」サブフィールド（例えば、１ビットのサイズ）を含み得る。このビットは、例えば、グループサイズよりも小さい数のＭＰＤＵが送られなければならない場合、１にセットされ得る。一例として、グループサイズは４であるが、ある特定の時点で、ただ１つのＭＰＤＵが送られるべきである場合、デバイスは、シーケンス番号０を持ち、１にセットされたＥＯＧビットを持つＭＰＤＵを送ればよい。次のＭＰＤＵは、シーケンス番号４を有し得る。
【００９１】
代替として、ＥＯＧビットはなくてよく、この場合、残っているＭＰＤＵが、（ブロックサイズに達するために）ヌルＭＰＤＵとして送られ得る。上の図７の例において、デバイスは、シーケンス番号０を持つＭＰＤＵ（例えば、ＭＰＤＵ−８）を有するとともに、シーケンス番号１、２、および３を持つ３つのヌルＭＰＤＵ（例えば、ＭＰＤＵ−９、ＭＰＤＵ−１０、およびＭＰＤＵ−１１）を有するＡ−ＭＰＤＵを準備する。
【００９２】
いくつかの態様によると、ＭＰＤＵは、それらに対応するシーケンス番号のいくつかの下位ビット（例えば、ＬＳＢ）をマスクすることによってグループ化され得る（例えば、下位２ビットのマスキングは、４のブロックサイズに対応する）。ブロックＡｃｋビットマップ中のビットは、従って、マスクされた下位ビットを持つシーケンス番号、または下位ビットに向かっていくつかの位置だけシフトされたシーケンス番号である「ベース」シーケンス番号に対応し得る。一例として、１ＬＳＢがマスクされる。
【００９３】
グループ：（０１）、（２３）、（４５）など
ベースシーケンス番号は、（１ＬＳＢがマスクされる場合）０、２、４など、または（シーケンス番号が右の１ＬＳＢにシフトされる場合）０、１、２、などである。
【００９４】
上記で説明した方法の様々な動作は、対応する機能を行うことが可能な任意の好適な手段によって行われ得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示す動作がある場合、それらの動作は、同様の番号を持つ対応するカウンターパートのミーンズプラスファンクション構成要素を有し得る。例えば、図４および図５に示す動作４００および５００は、図４Ａおよび図５Ａに示す手段４００Ａおよび５００Ａにそれぞれ対応する。
【００９５】
例えば、送信するための手段は、図２に示す、アクセスポイント１１０の送信機（例えば、送信機ユニット２２２）および／もしくはアンテナ２２４、またはユーザ端末１２０の送信機ユニット２５４および／もしくはアンテナ２５２を備え得る。受信するための手段は、図２に示す、ユーザ端末１２０の受信機（例えば、受信機ユニット２５４）および／もしくはアンテナ２５２、またはアクセスポイント１１０の受信機ユニット２２２および／もしくはアンテナ２２４を備え得る。処理するための手段または判断するための手段は、図２に示すユーザ端末１２０のＲＸデータプロセッサ２７０、ＴＸデータプロセッサ２８８、および／またはコントローラ２８０など、１つまたは複数のプロセッサを含み得る処理システムを備え得る。
【００９６】
本明細書で使用する「判断」という用語は、多種多様なアクションを包含する。例えば、「判断」は、計算、算出、処理、導出、調査、探索（例えば、テーブル、データベース、または別のデータ構造での探索）、確認などを含むことができる。また、「判断」は、受信（例えば、情報を受信すること）、アクセス（例えば、メモリ中のデータにアクセスすること）などを含むことができる。また、「判断」は、解決、選択、選出、確立などを含むことができる。
【００９７】
本明細書で使用する、項目のリスト「のうちの少なくとも１つ」を指す句は、単一のメンバーを含む、それらのアイテムの任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【００９８】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を行うように設計されたそれらの任意の組合せを用いて実現されまたは行われ得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のこのような構成として実現することもできる。
【００９９】
本開示に関連して説明した方法またはアルゴリズムのステップは、直接ハードウェアか、プロセッサによって実行されるソフトウェアモジュールか、またはその２つの組合せで実施できる。ソフトウェアモジュールは、当技術分野で知られている任意の形式の記憶媒体中に常駐できる。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散できる。記憶媒体は、プロセッサがこの記憶媒体から情報を読み取ることができ、この記憶媒体に情報を書き込むことができるように、プロセッサに結合できる。代替として、記憶媒体はプロセッサに一体化できる。
【０１００】
本明細書で開示する方法は、説明した方法を達成するための１つまたは複数のステップまたはアクションを備える。本方法のステップおよび／またはアクションは、特許請求の範囲の範囲から逸脱することなく互いに入れ替えることができる。言い換えれば、ステップまたはアクションの特定の順序が指定されない限り、特定のステップおよび／またはアクションの順序および／または使用は特許請求の範囲から逸脱することなく変更できる。
【０１０１】
説明した機能は、ハードウェア、ソフトウェア、ファームウェア、またはそれらの組合せで実現できる。ハードウェアで実現される場合、例示的ハードウェア構成は、ワイヤレスノード内の処理システムを備え得る。処理システムは、バスアーキテクチャを使って実現され得る。バスは、処理システムの特定の適用例および全体的な設計制約に応じて、任意の数の相互接続バスおよびブリッジを含み得る。このバスは、プロセッサ、機械可読媒体、およびバスインターフェースを含む様々な回路を互いにリンクする。バスインターフェースは、ネットワークアダプタを、特に、バスを介して処理システムに接続するのに使われ得る。ネットワークアダプタは、ＰＨＹ層の信号処理機能を実現するのに使われ得る。ユーザ端末１２０（図１参照）の場合、ユーザインターフェース（例えば、キーパッド、ディスプレイ、マウス、ジョイスティックなど）も、バスに接続され得る。バスは、タイミングソース、周辺装置、電圧調整装置、電力管理回路など、他の様々な回路をリンクすることもできるが、これら回路は当技術分野において公知であり、それゆえ、これ以上は説明しない。
【０１０２】
プロセッサは、機械可読媒体に格納されたソフトウェアの実行を含む、バスおよび一般的な処理を管理することを担当し得る。プロセッサは、１つまたは複数の汎用および／または専用プロセッサを用いて実現できる。例としては、マイクロプロセッサ、マイクロコントローラ、ＤＳＰプロセッサ、およびソフトウェアを実行できる他の回路がある。ソフトウェアは、ソフトウェア、ファームウェア、ミドルウェア、マイクロコード、ハードウェア記述言語などの名称にかかわらず、命令、データ、またはそれらの組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、もしくは他の適切な記憶媒体、またはそれらの任意の組合せを含むことができる。機械可読媒体はコンピュータプログラム製品において実施され得る。コンピュータプログラム製品はパッケージング材料を備え得る。
【０１０３】
ハードウェア実現形態では、機械可読媒体は、処理システムの一部であるか、またはプロセッサとは別個であり得る。しかしながら、当業者なら容易に理解するように、機械可読媒体またはその任意の部分は処理システムの外部に存在できる。例として、機械可読媒体は、すべてバスインターフェースを介してプロセッサがアクセスし得る、伝送線路、データによって変調された搬送波、および／またはワイヤレスノードとは別個のコンピュータ製品を含み得る。代替的または追加的に、機械可読媒体またはその任意の部分は、キャッシュおよび／または汎用レジスタファイルがそうであるようにプロセッサに統合できる。
【０１０４】
処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとを持つ汎用処理システムとして構成できる。代替的に、処理システムは、プロセッサを持つＡＳＩＣ（特定用途向け集積回路）と、バスインターフェースと、アクセス端末の場合はユーザインターフェースと、サポート回路（図示せず）と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の適切な回路、または本開示全体にわたって説明する様々な機能を行なうことのできる回路の任意の組合せを用いて、実現され得る。当業者なら、特定の適用例および全体的なシステムに課される全体的な設計制約に応じて、どのようにしたら処理システムについて説明した機能を最も良く実現できるかを理解されよう。
【０１０５】
機械可読媒体は、いくつかのソフトウェアモジュールを備え得る。ソフトウェアモジュールは、プロセッサによって実行されたときに、処理システムに様々な機能を行わせる複数の命令を含む。ソフトウェアモジュールは、送信モジュールおよび受信モジュールを含み得る。各ソフトウェアモジュールは、単一の記憶デバイス内に存在でき、または複数の記憶デバイスに分散できる。例として、トリガイベントが発生したときに、ソフトウェアモジュールをハードドライブからＲＡＭにロードできる。ソフトウェアモジュールの実行中、プロセッサは、アクセス速度を高めるために、複数の命令のいくつかをキャッシュにロードできる。次いで、１つまたは複数のキャッシュラインを、プロセッサによる実行のために汎用レジスタファイルにロードできる。以下でソフトウェアモジュールの機能に言及する場合、このような機能は、このソフトウェアモジュールからの複数の命令を実行したときにプロセッサによって実現されることが理解されよう。
【０１０６】
ソフトウェアで実現する場合、機能は、１つまたは複数の命令またはコードとしてコンピュータ可読媒体上に記憶するか、あるいはコンピュータ可読媒体を介して送信できる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、このようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。さらに、いかなる接続もコンピュータ可読媒体と適切に呼ばれる。例えば、ソフトウェアが同軸ケーブル、光ファイバーケーブル、より対線、デジタル加入者回線（ＤＳＬ）、または赤外線、無線、およびマイクロ波といったワイヤレス技術を使用してウェブサイト、サーバ、または他の遠隔の送信元から送信される場合、この同軸ケーブル、光ファイバーケーブル、より対線、ＤＳＬ、または赤外線（ＩＲ）、無線、およびマイクロ波といったワイヤレス技術は、媒体の定義に含まれる。本明細書で使用されるとき、ディスク（ｄｉｓｋ）およびディスク（ｄｉｓｃ）は、コンパクトディスク（ｃｏｍｐａｃｔ  ｄｉｓｃ）（ＣＤ）、レーザディスク（ｌａｓｅｒ  ｄｉｓｃ）、光ディスク（ｏｐｔｉｃａｌ  ｄｉｓｃ）、デジタルバーサタイルディスク（ｄｉｇｉｔａｌ  ｖｅｒｓａｔｉｌｅ  ｄｉｓｃ）（ＤＶＤ）、フロッピー（登録商標）ディスク（ｆｌｏｐｐｙ（登録商標）ｄｉｓｋ）、ブルーレイ（登録商標）ディスク（Ｂｌｕ−ｒａｙ（登録商標）  ｄｉｓｃ）を含み、ディスク（ｄｉｓｋ）が、通常、磁気的にデータを再生する一方で、ディスク（ｄｉｓｃ）が、レーザを用いて光学的にデータを再生する。従って、いくつかの態様では、コンピュータ可読媒体は一時的でないコンピュータ可読媒体（例えば、有形媒体）を備え得る。さらに、他の態様では、コンピュータ可読媒体は、一時的なコンピュータ可読媒体（例えば、信号）を備え得る。上記の組合せもコンピュータ可読媒体の範囲内に含めるべきである。
【０１０７】
従って、いくつかの態様は、本明細書で提示する動作を行うためのコンピュータプログラム製品を備え得る。例えば、このようなコンピュータプログラム製品は、本明細書で説明する動作を行うために１つまたは複数のプロセッサによって実行可能である複数の命令をその上に記憶した（および／または符号化した）コンピュータ可読媒体を備え得る。いくつかの態様では、コンピュータプログラム製品はパッケージング材料を含み得る。
【０１０８】
さらに、本明細書に記載の方法および技法を行うためのモジュールおよび／または他の適切な手段は、適用可能な場合にユーザ端末および／または基地局によってダウンロードおよび／または他の方法で取得できることを諒解されたい。例えば、本明細書で説明した方法を行うための手段の転送を可能にするために、このようなデバイスをサーバに結合できる。代替的に、本明細書で説明される様々な方法は、ユーザ端末および／または基地局がストレージ手段をデバイスに結合するかまたは与えると様々な方法を得ることができるように、ストレージ手段（例えば、ＲＡＭ、ＲＯＭ、コンパクトディスク（ＣＤ）またはフロッピーディスクなど物理記憶媒体など）によって提供できる。さらに、本明細書で説明する方法および技法をデバイスに与えるための任意の他の適切な技法を利用できる。
【０１０９】
特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができる。
【図１】
2013542632.tif 000003
【図２】
2013542632.tif 000004
【図３】
2013542632.tif 000005
【図４】
2013542632.tif 000006
【図４Ａ】
2013542632.tif 000007
【図５】
2013542632.tif 000008
【図５Ａ】
2013542632.tif 000009
【図６】
2013542632.tif 000010
【図７】
2013542632.tif 000011
【図８】
2013542632.tif 000012
【図９】
2013542632.tif 000013
【図１０】
2013542632.tif 000014
【図１１】
2013542632.tif 000015
【図１２】
2013542632.tif 000016
【図１３】
2013542632.tif 000017
【図１４】
2013542632.tif 000018
【図１５】
2013542632.tif 000019
【図１６】
2013542632.tif 000020
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
複数のメディアアクセス制御（ＭＡＣ）プロトコルデータ単位（ＭＰＤＵ）を１つのノードから受信することと、
ブロック確認（ＢＡ）メッセージを送信することとを備え、前記ＢＡメッセージが前記複数のＭＰＤＵのうちの２つ以上からなるグループの受信を確認するためのビットを備えたビットマップを備え、
グループサイズｎが前記複数のＭＰＤＵを送信する前記ノードと交渉され、前記ビットマップ中の前記ビットが同じグループ中のｎ個のＭＰＤＵの受信を確認する、ワイヤレス通信のための方法。
【請求項２】
前記ビットは前記グループの各ＭＰＤＵが成功裡に受信されたことを確認するものである、請求項１に記載の方法。
【請求項３】
各ＭＰＤＵはこのＭＰＤＵがグループに属すかどうかの指示とともに受信され、前記ビットマップはグループに属さないＭＰＤＵを個々に確認するための少なくとも１つのビットを備える、請求項１に記載の方法。
【請求項４】
各ＭＰＤＵがグループに属すかどうかの前記指示はＭＰＤＵデリミタフィールド中で与えられる、請求項３に記載の方法。
【請求項５】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項４に記載の方法。
【請求項６】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項３に記載の方法。
【請求項７】
各ＭＰＤＵはこのＭＰＤＵがグループにおける最終ＭＰＤＵであるかどうかの指示とともに受信される、請求項１に記載の方法。
【請求項８】
１つの装置から、前記グループサイズｎを示すグループ化メッセージを受信することと、
前記装置に、前記グループ化メッセージの受信を確証する確証メッセージを送ることをさらに備える、請求項１に記載の方法。
【請求項９】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項１に記載の方法。
【請求項１０】
前記ビットマップはｎ未満のＭＰＤＵを備える最終グループの受信を確認する少なくとも１つのビットを備える、請求項１に記載の方法。
【請求項１１】
フレーム終結（ＥＯＦ）デリミタの検出またはデータ終結の検出の少なくとも１つに基づいて、前記最終グループがｎ未満のＭＰＤＵを備えると判断することをさらに備える、請求項１０に記載の方法。
【請求項１２】
前記ＢＡメッセージはｎ個のＭＰＤＵからなるグループを確認するのに使われ前記ビットマップ中の１つまたは複数のビットを示す別のビットを備える、請求項１に記載の方法。
【請求項１３】
前記ＢＡメッセージは前記ビットによって確認されたＭＰＤＵの数を示すグループサイズフィールドを備え、前記グループサイズフィールドは前記ＢＡメッセージの制御フィールドのうち少なくとも１つのビットを備える、請求項１に記載の方法。
【請求項１４】
複数のメディアアクセス制御（ＭＡＣ）プロトコルデータ単位（ＭＰＤＵ）を１つのノードから受信するように構成される受信機と、
ブロック確認（ＢＡ）メッセージを送信するように構成される送信機とを備え、前記ＢＡメッセージは前記複数のＭＰＤＵのうちの２つ以上からなるグループの受信を確認するためのビットを備えたビットマップを備え、
グループサイズｎが前記複数のＭＰＤＵを送信する前記ノードと交渉され、前記ビットマップ中の前記ビットが同じグループ中のｎ個のＭＰＤＵの受信を確認する、ワイヤレス通信のための装置。
【請求項１５】
前記ビットは前記グループの各ＭＰＤＵが成功裡に受信されたことを確認するものである、請求項１４に記載の装置。
【請求項１６】
各ＭＰＤＵはこのＭＰＤＵがグループに属すかどうかの指示とともに受信され、前記ビットマップはグループに属さないＭＰＤＵを個々に確認するための少なくとも１つのビットを備える、請求項１４に記載の装置。
【請求項１７】
各ＭＰＤＵがグループに属すかどうかの前記指示はＭＰＤＵデリミタフィールド中で与えられる、請求項１６に記載の装置。
【請求項１８】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項１７に記載の装置。
【請求項１９】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項１６に記載の装置。
【請求項２０】
各ＭＰＤＵはこのＭＰＤＵがグループにおける最終ＭＰＤＵであるかどうかの指示とともに受信される、請求項１４に記載の装置。
【請求項２１】
前記受信機は、別の装置から、前記グループサイズｎを示すグループ化メッセージを受信するようにさらに構成され、前記送信機は、前記別の装置に、前記グループ化メッセージの受信を確証する確証メッセージを送るようにさらに構成される、請求項１４に記載の装置。
【請求項２２】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項１４に記載の装置。
【請求項２３】
前記ビットマップはｎ未満のＭＰＤＵを備える最終グループの受信を確認する少なくとも１つのビットを備える、請求項１４に記載の装置。
【請求項２４】
前記処理システムは、フレーム終結（ＥＯＦ）デリミタの検出またはデータ終結の検出の少なくとも１つに基づいて、前記最終グループがｎ未満のＭＰＤＵを備えると判断するようにさらに構成される、請求項２３に記載の装置。
【請求項２５】
前記ＢＡメッセージはｎ個のＭＰＤＵからなるグループを確認するのに使われ前記ビットマップ中の１つまたは複数のビットを示す別のビットを備える、請求項１４に記載の装置。
【請求項２６】
前記ＢＡメッセージは前記ビットによって確認されたＭＰＤＵの数を示すグループサイズフィールドを備え、前記グループサイズフィールドは前記ＢＡメッセージの制御フィールドのうち少なくとも１つのビットを備える、請求項１４に記載の装置。
【請求項２７】
複数のメディアアクセス制御（ＭＡＣ）プロトコルデータ単位（ＭＰＤＵ）を１つのノードから受信するための手段と、
ブロック確認（ＢＡ）メッセージを送信するための手段とを備え、前記ＢＡメッセージは前記複数のＭＰＤＵのうちの２つ以上からなるグループの受信を確認するためのビットを備えたビットマップを備え、
グループサイズｎが前記複数のＭＰＤＵを送信する前記ノードと交渉され、前記ビットマップ中の前記ビットが同じグループ中のｎ個のＭＰＤＵの受信を確認する、ワイヤレス通信のための装置。
【請求項２８】
前記ビットは前記グループの各ＭＰＤＵが成功裡に受信されたことを確認するものである、請求項２７に記載の装置。
【請求項２９】
各ＭＰＤＵはこのＭＰＤＵがグループに属すかどうかの指示とともに受信され、前記ビットマップはグループに属さないＭＰＤＵを個々に確認するための少なくとも１つのビットを備える、請求項２７に記載の装置。
【請求項３０】
各ＭＰＤＵがグループに属すかどうかの前記指示はＭＰＤＵデリミタフィールド中で与えられる、請求項２９に記載の装置。
【請求項３１】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項３０に記載の装置。
【請求項３２】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項２９に記載の装置。
【請求項３３】
各ＭＰＤＵはこのＭＰＤＵがグループにおける最終ＭＰＤＵであるかどうかの指示とともに受信される、請求項２７に記載の装置。
【請求項３４】
別の装置から、前記グループサイズｎを示すグループ化メッセージを受信するための手段と、
前記別の装置に、前記グループ化メッセージの受信を確証する確証メッセージを送るための手段とをさらに備える、請求項２７に記載の装置。
【請求項３５】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項２７に記載の装置。
【請求項３６】
前記ビットマップはｎ未満のＭＰＤＵを備える最終グループの受信を確認する少なくとも１つのビットを備える、請求項２７に記載の装置。
【請求項３７】
フレーム終結（ＥＯＦ）デリミタの検出またはデータ終結の検出の少なくとも１つに基づいて、前記最終グループがｎ未満のＭＰＤＵを備えると判断するための手段をさらに備える、請求項３６に記載の装置。
【請求項３８】
前記ＢＡメッセージはｎ個のＭＰＤＵからなるグループを確認するのに使われ前記ビットマップ中の１つまたは複数のビットを示す別のビットを備える、請求項２７に記載の装置。
【請求項３９】
前記ＢＡメッセージは前記ビットによって確認されたＭＰＤＵの数を示すグループサイズフィールドを備え、前記グループサイズフィールドは前記ＢＡメッセージの制御フィールドのうち少なくとも１つのビットを備える、請求項２７に記載の装置。
【請求項４０】
少なくとも１つのアンテナと、
前記少なくとも１つのアンテナを介して、複数のメディアアクセス制御（ＭＡＣ）プロトコルデータ単位（ＭＰＤＵ）を１つのノードから受信するように構成される受信機と、
前記少なくとも１つのアンテナを介して、ブロック確認（ＢＡ）メッセージを送信するように構成される送信機とを備え、前記ＢＡメッセージは前記複数のＭＰＤＵのうちの２つ以上からなるグループの受信を確認するためのビットを備えたビットマップを備え、
グループサイズｎが前記複数のＭＰＤＵを送信する前記ノードと交渉され、前記ビットマップ中の前記ビットが同じグループ中のｎ個のＭＰＤＵの受信を確認する、ワイヤレスノード。
【請求項４１】
ワイヤレス通信のためのコンピュータプログラム製品であって、
複数のメディアアクセス制御（ＭＡＣ）プロトコルデータ単位（ＭＰＤＵ）を１つのノードから受信し、
前記複数のＭＰＤＵのうちの２つ以上からなるグループの受信を確認するためのビットを備えたビットマップを備えるブロック確認（ＢＡ）メッセージを送信するように実行可能な複数の命令を備え、
グループサイズｎが前記複数のＭＰＤＵを送信する前記ノードと交渉され、前記ビットマップ中の前記ビットが同じグループ中のｎ個のＭＰＤＵの受信を確認する、コンピュータ可読媒体を備えるコンピュータプログラム製品。
【請求項４２】
複数のメディアアクセス制御（ＭＡＣ）プロトコルデータ単位（ＭＰＤＵ）を１つのノードへ送信することと、
ブロック確認（ＢＡ）メッセージを受信することとを備え、前記ＢＡメッセージは前記複数のＭＰＤＵのうちの２つ以上からなるグループの受信を確認するためのビットを備えたビットマップを備え、
グループサイズｎが前記複数のＭＰＤＵを送信する前記ノードと交渉され、前記ビットマップ中の前記ビットが同じグループ中のｎ個のＭＰＤＵの受信を確認する、ワイヤレス通信のための方法。
【請求項４３】
前記ビットは前記グループの各ＭＰＤＵが成功裡に受信されたことを確認するものである、請求項４２に記載の方法。
【請求項４４】
各ＭＰＤＵはこのＭＰＤＵがグループに属すかどうかの指示とともに送信され、前記ビットマップはグループに属さないＭＰＤＵを個々に確認するための少なくとも１つのビットを備える、請求項４２に記載の方法。
【請求項４５】
各ＭＰＤＵがグループに属すかどうかの前記指示はＭＰＤＵデリミタフィールド中で与えられる、請求項４４に記載の方法。
【請求項４６】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項４５に記載の方法。
【請求項４７】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項４４に記載の方法。
【請求項４８】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項４２に記載の方法。
【請求項４９】
１つの装置に、前記グループサイズｎを示すグループ化メッセージを送ることと、
前記グループ化メッセージが前記装置によって成功裡に受信されたという確証を受信することとをさらに備える、請求項４２に記載の方法。
【請求項５０】
前記ビットマップはｎ未満のＭＰＤＵを備える最終グループの受信を確認する少なくとも１つのビットを備える、請求項４２に記載の方法。
【請求項５１】
ｎ個のＭＰＤＵからなる少なくとも１つのグループについて、データを含むｎ−ｍ個のＭＰＤＵおよびｍ個のヌルＭＰＤＵを送信することをさらに備える、請求項４２に記載の方法。
【請求項５２】
前記ＢＡメッセージはｎ個のＭＰＤＵからなるグループを確認するのに使われ前記ビットマップ中の１つまたは複数のビットを示す別のビットを備える、請求項４２に記載の方法。
【請求項５３】
前記ＢＡメッセージは前記ビットによって確認されたＭＰＤＵの数を示すグループサイズフィールドを備える、請求項４２に記載の方法。
【請求項５４】
複数のメディアアクセス制御（ＭＡＣ）プロトコルデータ単位（ＭＰＤＵ）を１つのノードへ送信するように構成される送信機と、
ブロック確認（ＢＡ）メッセージを受信するように構成される受信機とを備え、前記ＢＡメッセージは前記複数のＭＰＤＵのうちの２つ以上からなるグループの受信を確認するためのビットを備えたビットマップを備え、
グループサイズｎが前記複数のＭＰＤＵを送信する前記ノードと交渉され、前記ビットマップ中の前記ビットが同じグループ中のｎ個のＭＰＤＵの受信を確認する、ワイヤレス通信のための装置。
【請求項５５】
前記ビットは前記グループの各ＭＰＤＵが成功裡に受信されたことを確認するものである、請求項５４に記載の装置。
【請求項５６】
各ＭＰＤＵはこのＭＰＤＵがグループに属すかどうかの指示とともに送信され、前記ビットマップはグループに属さないＭＰＤＵを個々に確認するための少なくとも１つのビットを備える、請求項５４に記載の装置。
【請求項５７】
各ＭＰＤＵがグループに属すかどうかの前記指示はＭＰＤＵデリミタフィールド中で与えられる、請求項５６に記載の装置。
【請求項５８】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項５７に記載の装置。
【請求項５９】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項５６に記載の装置。
【請求項６０】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項５４に記載の装置。
【請求項６１】
前記送信機は、前記別の装置に、前記グループサイズｎを示すグループ化メッセージを送るようにさらに構成され、前記装置は前記グループ化メッセージが前記別の装置によって成功裡に受信されたという確証を受信するように構成される、請求項５４に記載の装置。
【請求項６２】
前記ビットマップはｎ未満のＭＰＤＵを備える最終グループの受信を確認する少なくとも１つのビットを備える、請求項５４に記載の装置。
【請求項６３】
前記送信機はｎ個のＭＰＤＵからなる少なくとも１つのグループについて、データを含むｎ−ｍ個のＭＰＤＵおよびｍ個のヌルＭＰＤＵを送信するように構成される、請求項５４に記載の装置。
【請求項６４】
前記ＢＡメッセージはｎ個のＭＰＤＵからなるグループを確認するのに使われ前記ビットマップ中の１つまたは複数のビットを示す別のビットを備える、請求項５４に記載の装置。
【請求項６５】
前記ＢＡメッセージは前記ビットによって確認されたＭＰＤＵの数を示すグループサイズフィールドを備える、請求項５４に記載の装置。
【請求項６６】
複数のメディアアクセス制御（ＭＡＣ）プロトコルデータ単位（ＭＰＤＵ）を１つのノードへ送信するための手段と、
ブロック確認（ＢＡ）メッセージを受信するための手段とを備え、前記ＢＡメッセージは前記ＭＰＤＵのうちの２つ以上からなるグループの受信を確認するためのビットを備えるビットマップを備え、
グループサイズｎが前記複数のＭＰＤＵを送信する前記ノードと交渉され、前記ビットマップ中の前記ビットが同じグループ中のｎ個のＭＰＤＵの受信を確認する、ワイヤレス通信のための装置。
【請求項６７】
前記ビットは前記グループの各ＭＰＤＵが成功裡に受信されたことを確認するものである、請求項６６に記載の装置。
【請求項６８】
各ＭＰＤＵはこのＭＰＤＵがグループに属すかどうかの指示とともに送信され、前記ビットマップはグループに属さないＭＰＤＵを個々に確認するための少なくとも１つのビットを備える、請求項６６に記載の装置。
【請求項６９】
各ＭＰＤＵがグループに属すかどうかの前記指示はＭＰＤＵデリミタフィールド中で与えられる、請求項６８に記載の装置。
【請求項７０】
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、請求項６７に記載の装置。
【請求項７１】
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、請求項６８に記載の装置。
【請求項７２】
同じグループ中の複数のＭＰＤＵが増加シーケンス番号を持つか、あるいは同じグループ中の複数のＭＰＤＵが同じシーケンス番号および異なるサブフレームシーケンス番号を持つ、請求項６６に記載の装置。
【請求項７３】
１つの装置に、前記グループサイズｎを示すグループ化メッセージを送るための手段と、
前記グループ化メッセージが前記装置によって成功裡に受信されたという確証を受信するための手段とをさらに備える、請求項６６に記載の装置。
【請求項７４】
前記ビットマップはｎ未満のＭＰＤＵを備える最終グループの受信を確認する少なくとも１つのビットを備える、請求項６６に記載の装置。
【請求項７５】
ｎ個のＭＰＤＵからなる少なくとも１つのグループについて、データを含むｎ−ｍ個のＭＰＤＵおよびｍ個のヌルＭＰＤＵを送信するための手段をさらに備える、請求項６６に記載の装置。
【請求項７６】
前記ＢＡメッセージはｎ個のＭＰＤＵからなるグループを確認するのに使われ前記ビットマップ中の１つまたは複数のビットを示す別のビットを備える、請求項６６に記載の装置。
【請求項７７】
前記ＢＡメッセージは前記ビットによって確認されたＭＰＤＵの数を示すグループサイズフィールドを備える、請求項６６に記載の装置。
【請求項７８】
少なくとも１つのアンテナと、
前記少なくとも１つのアンテナを介して、複数のメディアアクセス制御（ＭＡＣ）プロトコルデータ単位（ＭＰＤＵ）を１つのノードへ送信するように構成される送信機と、
前記少なくとも１つのアンテナを介して、ブロック確認（ＢＡ）メッセージを受信するように構成される受信機とを備え、前記ＢＡメッセージは前記複数のＭＰＤＵのうちの２つ以上からなるグループの受信を確認するためのビットを備えたビットマップを備え、
グループサイズｎが前記複数のＭＰＤＵを送信する前記ノードと交渉され、前記ビットマップ中の前記ビットが同じグループ中のｎ個のＭＰＤＵの受信を確認する、ワイヤレスノード。
【請求項７９】
ワイヤレス通信のためのコンピュータプログラム製品であって、
複数のメディアアクセス制御（ＭＡＣ）プロトコルデータ単位（ＭＰＤＵ）を１つのノードへ送信し、
前記複数のＭＰＤＵのうちの２つ以上からなるグループの受信を確認するためのビットを備えたビットマップを備えるブロック確認（ＢＡ）メッセージを受信するように実行可能な複数の命令を備え、
グループサイズｎが前記複数のＭＰＤＵを送信する前記ノードと交渉され、前記ビットマップ中の前記ビットが同じグループ中のｎ個のＭＰＤＵの受信を確認する、コンピュータ可読媒体を備えるコンピュータプログラム製品。
【手続補正２】
【補正対象書類名】明細書
【補正対象項目名】０００１
【補正方法】変更
【補正の内容】
【０００１】
本出願は、参照によって本明細書に組み込まれている、２０１０年９月３日に出願した米国特許仮出願第６１／３７４，８８５号（代理人整理番号第１０２５９６Ｐ１号）の利益を主張する。
【手続補正３】
【補正対象書類名】明細書
【補正対象項目名】０１０９
【補正方法】変更
【補正の内容】
【０１０９】
特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができる。
以下に本件出願当初の特許請求の範囲に記載された発明を付記する。
[Ｃ１]
複数のメディアアクセス制御（ＭＡＣ）プロトコルデータ単位（ＭＰＤＵ）を受信することと、
ブロック確認（ＢＡ）メッセージを送信することとを備え、前記ＢＡメッセージが前記複数のＭＰＤＵのうちの２つ以上からなるグループの受信を確認するためのビットを備えたビットマップを備える、ワイヤレス通信のための方法。
[Ｃ２]
前記ビットは前記グループの各ＭＰＤＵが成功裡に受信されたことを確認するものである、Ｃ１に記載の方法。
[Ｃ３]
各ＭＰＤＵはこのＭＰＤＵがグループに属すかどうかの指示とともに受信され、前記ビットマップはグループに属さないＭＰＤＵを個々に確認するための少なくとも１つのビットを備える、Ｃ１に記載の方法。
[Ｃ４]
各ＭＰＤＵがグループに属すかどうかの前記指示はＭＰＤＵデリミタフィールド中で与えられる、Ｃ３に記載の方法。
[Ｃ５]
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、Ｃ４に記載の方法。
[Ｃ６]
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、Ｃ３に記載の方法。
[Ｃ７]
各ＭＰＤＵはこのＭＰＤＵがグループにおける最終ＭＰＤＵであるかどうかの指示とともに受信される、Ｃ１に記載の方法。
[Ｃ８]
グループサイズｎを判断することをさらに備え、前記ビットマップ中の前記ビットは同じグループ中のｎ個のＭＰＤＵの受信を確認するものである、Ｃ１に記載の方法。
[Ｃ９]
１つの装置から、前記グループサイズｎを示すグループ化メッセージを受信することと、
前記装置に、前記グループ化メッセージの受信を確証する確証メッセージを送ることをさらに備える、Ｃ８に記載の方法。
[Ｃ１０]
同じグループ中の複数のＭＰＤＵが増加シーケンス番号を持つか、あるいは同じグループ中の複数のＭＰＤＵが同じシーケンス番号および異なるサブフレームシーケンス番号を持つ、Ｃ８に記載の方法。
[Ｃ１１]
前記ビットマップはｎ未満のＭＰＤＵを備える最終グループの受信を確認する少なくとも１つのビットを備える、Ｃ８に記載の方法。
[Ｃ１２]
フレーム終結（ＥＯＦ）デリミタの検出またはデータ終結の検出の少なくとも１つに基づいて、前記最終グループがｎ未満のＭＰＤＵを備えると判断することをさらに備える、Ｃ１１に記載の方法。
[Ｃ１３]
前記ＢＡメッセージはｎ個のＭＰＤＵからなるグループを確認するのに使われ前記ビットマップ中の１つまたは複数のビットを示す別のビットを備える、Ｃ１に記載の方法。
[Ｃ１４]
前記ＢＡメッセージは前記ビットによって確認されたＭＰＤＵの数を示すグループサイズフィールドを備え、前記グループサイズフィールドは前記ＢＡメッセージの制御フィールドのうち少なくとも１つのビットを備える、Ｃ１に記載の方法。
[Ｃ１５]
複数のメディアアクセス制御（ＭＡＣ）プロトコルデータ単位（ＭＰＤＵ）を受信するように構成される受信機と、
ブロック確認（ＢＡ）メッセージを送信するように構成される送信機とを備え、前記ＢＡメッセージは前記複数のＭＰＤＵのうち２つ以上からなるグループの受信を確認するためのビットを備えたビットマップを備える、ワイヤレス通信のための装置。
[Ｃ１６]
前記ビットは前記グループの各ＭＰＤＵが成功裡に受信されたことを確認するものである、Ｃ１５に記載の装置。
[Ｃ１７]
各ＭＰＤＵはこのＭＰＤＵがグループに属すかどうかの指示とともに受信され、前記ビットマップはグループに属さないＭＰＤＵを個々に確認するための少なくとも１つのビットを備える、Ｃ１５に記載の装置。
[Ｃ１８]
各ＭＰＤＵがグループに属すかどうかの前記指示はＭＰＤＵデリミタフィールド中で与えられる、Ｃ１７に記載の装置。
[Ｃ１９]
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、Ｃ１８に記載の装置。
[Ｃ２０]
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、Ｃ１７に記載の装置。
[Ｃ２１]
各ＭＰＤＵはこのＭＰＤＵがグループにおける最終ＭＰＤＵであるかどうかの指示とともに受信される、Ｃ１５に記載の装置。
[Ｃ２２]
グループサイズｎを判断するように構成される処理システムをさらに備え、前記ビットマップ中の前記ビットは同じグループ中のｎ個のＭＰＤＵの受信を確認するものである、Ｃ１５に記載の装置。
[Ｃ２３]
前記受信機は、別の装置から、前記グループサイズｎを示すグループ化メッセージを受信するようにさらに構成され、前記送信機は、前記別の装置に、前記グループ化メッセージの受信を確証する確証メッセージを送るようにさらに構成される、Ｃ２２に記載の装置。
[Ｃ２４]
同じグループ中の複数のＭＰＤＵが増加シーケンス番号を持つか、あるいは同じグループ中の複数のＭＰＤＵが同じシーケンス番号および異なるサブフレームシーケンス番号を持つ、Ｃ２２に記載の装置。
[Ｃ２５]
前記ビットマップはｎ未満のＭＰＤＵを備える最終グループの受信を確認する少なくとも１つのビットを備える、Ｃ２２に記載の装置。
[Ｃ２６]
前記処理システムは、フレーム終結（ＥＯＦ）デリミタの検出またはデータ終結の検出の少なくとも１つに基づいて、前記最終グループがｎ未満のＭＰＤＵを備えると判断するようにさらに構成される、Ｃ２５に記載の装置。
[Ｃ２７]
前記ＢＡメッセージはｎ個のＭＰＤＵからなるグループを確認するのに使われ前記ビットマップ中の１つまたは複数のビットを示す別のビットを備える、Ｃ１５に記載の装置。
[Ｃ２８]
前記ＢＡメッセージは前記ビットによって確認されたＭＰＤＵの数を示すグループサイズフィールドを備え、前記グループサイズフィールドは前記ＢＡメッセージの制御フィールドのうち少なくとも１つのビットを備える、Ｃ１５に記載の装置。
[Ｃ２９]
複数のメディアアクセス制御（ＭＡＣ）プロトコルデータ単位（ＭＰＤＵ）を受信するための手段と、
ブロック確認（ＢＡ）メッセージを送信するための手段とを備え、前記ＢＡメッセージは前記複数のＭＰＤＵのうち２つ以上からなるグループの受信を確認するためのビットを備えたビットマップを備える、ワイヤレス通信のための装置。
[Ｃ３０]
前記ビットは前記グループの各ＭＰＤＵが成功裡に受信されたことを確認するものである、Ｃ２９に記載の装置。
[Ｃ３１]
各ＭＰＤＵはこのＭＰＤＵがグループに属すかどうかの指示とともに受信され、前記ビットマップはグループに属さないＭＰＤＵを個々に確認するための少なくとも１つのビットを備える、Ｃ２９に記載の装置。
[Ｃ３２]
各ＭＰＤＵがグループに属すかどうかの前記指示はＭＰＤＵデリミタフィールド中で与えられる、Ｃ３１に記載の装置。
[Ｃ３３]
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、Ｃ３２に記載の装置。
[Ｃ３４]
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、Ｃ３１に記載の装置。
[Ｃ３５]
各ＭＰＤＵはこのＭＰＤＵがグループにおける最終ＭＰＤＵであるかどうかの指示とともに受信される、Ｃ２９に記載の装置。
[Ｃ３６]
グループサイズｎを判断するための手段をさらに備え、前記ビットマップ中の前記ビットは同じグループ中のｎ個のＭＰＤＵの受信を確認するものである、Ｃ２９に記載の装置。
[Ｃ３７]
別の装置から、前記グループサイズｎを示すグループ化メッセージを受信するための手段と、
前記別の装置に、前記グループ化メッセージの受信を確証する確証メッセージを送るための手段とをさらに備える、Ｃ３６に記載の装置。
[Ｃ３８]
同じグループ中の複数のＭＰＤＵが増加シーケンス番号を持つか、あるいは同じグループ中の複数のＭＰＤＵが同じシーケンス番号および異なるサブフレームシーケンス番号を持つ、Ｃ３６に記載の装置。
[Ｃ３９]
前記ビットマップはｎ未満のＭＰＤＵを備える最終グループの受信を確認する少なくとも１つのビットを備える、Ｃ３６に記載の装置。
[Ｃ４０]
フレーム終結（ＥＯＦ）デリミタの検出またはデータ終結の検出の少なくとも１つに基づいて、前記最終グループがｎ未満のＭＰＤＵを備えると判断するための手段をさらに備える、Ｃ３９に記載の装置。
[Ｃ４１]
前記ＢＡメッセージはｎ個のＭＰＤＵからなるグループを確認するのに使われ前記ビットマップ中の１つまたは複数のビットを示す別のビットを備える、Ｃ２９に記載の装置。
[Ｃ４２]
前記ＢＡメッセージは前記ビットによって確認されたＭＰＤＵの数を示すグループサイズフィールドを備え、前記グループサイズフィールドは前記ＢＡメッセージの制御フィールドのうち少なくとも１つのビットを備える、Ｃ２９に記載の装置。
[Ｃ４３]
少なくとも１つのアンテナと、
前記少なくとも１つのアンテナを介して、複数のメディアアクセス制御（ＭＡＣ）プロトコルデータ単位（ＭＰＤＵ）を受信するように構成される受信機と、
前記少なくとも１つのアンテナを介して、ブロック確認（ＢＡ）メッセージを送信するように構成される送信機とを備え、前記ＢＡメッセージは前記複数のＭＰＤＵのうち２つ以上からなるグループの受信を確認するためのビットを備えたビットマップを備える、ワイヤレスノード。
[Ｃ４４]
ワイヤレス通信のためのコンピュータプログラム製品であって、
複数のメディアアクセス制御（ＭＡＣ）プロトコルデータ単位（ＭＰＤＵ）を受信し、
前記複数のＭＰＤＵのうち２つ以上からなるグループの受信を確認するためのビットを備えたビットマップを備えるブロック確認（ＢＡ）メッセージを送信するように実行可能な複数の命令を備えるコンピュータ可読媒体を備えるコンピュータプログラム製品。
[Ｃ４５]
複数のメディアアクセス制御（ＭＡＣ）プロトコルデータ単位（ＭＰＤＵ）を送信することと、
ブロック確認（ＢＡ）メッセージを受信することとを備え、前記ＢＡメッセージは前記複数のＭＰＤＵのうち２つ以上からなるグループの受信を確認するためのビットを備えたビットマップを備える、ワイヤレス通信のための方法。
[Ｃ４６]
前記ビットは前記グループの各ＭＰＤＵが成功裡に受信されたことを確認するものである、Ｃ４５に記載の方法。
[Ｃ４７]
各ＭＰＤＵはこのＭＰＤＵがグループに属すかどうかの指示とともに送信され、前記ビットマップはグループに属さないＭＰＤＵを個々に確認するための少なくとも１つのビットを備える、Ｃ４５に記載の方法。
[Ｃ４８]
各ＭＰＤＵがグループに属すかどうかの前記指示はＭＰＤＵデリミタフィールド中で与えられる、Ｃ４７に記載の方法。
[Ｃ４９]
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、Ｃ４８に記載の方法。
[Ｃ５０]
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、Ｃ４７に記載の方法。
[Ｃ５１]
同じグループ中の複数のＭＰＤＵが増加シーケンス番号を持つか、あるいは同じグループ中の複数のＭＰＤＵが同じシーケンス番号および異なるサブフレームシーケンス番号を持つ、Ｃ４５に記載の方法。
[Ｃ５２]
グループサイズｎを判断することをさらに含み、前記ビットマップ中の前記ビットは同じグループ中のｎ個のＭＰＤＵの受信を確認するものである、Ｃ４５に記載の方法。
[Ｃ５３]
１つの装置に、前記グループサイズｎを示すグループ化メッセージを送ることと、
前記グループ化メッセージが前記装置によって成功裡に受信されたという確証を受信することとをさらに備える、Ｃ５２に記載の方法。
[Ｃ５４]
前記ビットマップはｎ未満のＭＰＤＵを備える最終グループの受信を確認する少なくとも１つのビットを備える、Ｃ５２に記載の方法。
[Ｃ５５]
ｎ個のＭＰＤＵからなる少なくとも１つのグループについて、データを含むｎ−ｍ個のＭＰＤＵおよびｍ個のヌルＭＰＤＵを送信することをさらに備える、Ｃ５２に記載の方法。
[Ｃ５６]
前記ＢＡメッセージはｎ個のＭＰＤＵからなるグループを確認するのに使われ前記ビットマップ中の１つまたは複数のビットを示す別のビットを備える、Ｃ４５に記載の方法。
[Ｃ５７]
前記ＢＡメッセージは前記ビットによって確認されたＭＰＤＵの数を示すグループサイズフィールドを備える、Ｃ４５に記載の方法。
[Ｃ５８]
複数のメディアアクセス制御（ＭＡＣ）プロトコルデータ単位（ＭＰＤＵ）を送信するように構成される送信機と、
ブロック確認（ＢＡ）メッセージを受信するように構成される受信機とを備え、前記ＢＡメッセージは前記複数のＭＰＤＵのうち２つ以上からなるグループの受信を確認するためのビットを備えたビットマップを備える、ワイヤレス通信のための装置。
[Ｃ５９]
前記ビットは前記グループの各ＭＰＤＵが成功裡に受信されたことを確認するものである、Ｃ５８に記載の装置。
[Ｃ６０]
各ＭＰＤＵはこのＭＰＤＵがグループに属すかどうかの指示とともに送信され、前記ビットマップはグループに属さないＭＰＤＵを個々に確認するための少なくとも１つのビットを備える、Ｃ５８に記載の装置。
[Ｃ６１]
各ＭＰＤＵがグループに属すかどうかの前記指示はＭＰＤＵデリミタフィールド中で与えられる、Ｃ６０に記載の装置。
[Ｃ６２]
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、Ｃ６１に記載の装置。
[Ｃ６３]
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、Ｃ６０に記載の装置。
[Ｃ６４]
同じグループ中の複数のＭＰＤＵが増加シーケンス番号を持つか、あるいは同じグループ中の複数のＭＰＤＵが同じシーケンス番号および異なるサブフレームシーケンス番号を持つ、Ｃ５８に記載の装置。
[Ｃ６５]
グループサイズｎを判断するための処理システムをさらに備え、前記ビットマップ中の前記ビットは同じグループ中のｎ個のＭＰＤＵの受信を確認するものである、Ｃ５８に記載の装置。
[Ｃ６６]
前記送信機は、前記別の装置に、前記グループサイズｎを示すグループ化メッセージを送るようにさらに構成され、前記装置は前記グループ化メッセージが前記別の装置によって成功裡に受信されたという確証を受信するように構成される、Ｃ６５に記載の装置。
[Ｃ６７]
前記ビットマップはｎ未満のＭＰＤＵを備える最終グループの受信を確認する少なくとも１つのビットを備える、Ｃ６５に記載の装置。
[Ｃ６８]
前記送信機はｎ個のＭＰＤＵからなる少なくとも１つのグループについて、データを含むｎ−ｍ個のＭＰＤＵおよびｍ個のヌルＭＰＤＵを送信するように構成される、Ｃ６５に記載の装置。
[Ｃ６９]
前記ＢＡメッセージはｎ個のＭＰＤＵからなるグループを確認するのに使われ前記ビットマップ中の１つまたは複数のビットを示す別のビットを備える、Ｃ５８に記載の装置。
[Ｃ７０]
前記ＢＡメッセージは前記ビットによって確認されたＭＰＤＵの数を示すグループサイズフィールドを備える、Ｃ５８に記載の装置。
[Ｃ７１]
複数のメディアアクセス制御（ＭＡＣ）プロトコルデータ単位（ＭＰＤＵ）を送信するための手段と、
ブロック確認（ＢＡ）メッセージを受信するための手段とを備え、前記ＢＡメッセージは前記ＭＰＤＵのうち２つ以上からなるグループの受信を確認するためのビットを備えるビットマップを備える、ワイヤレス通信のための装置。
[Ｃ７２]
前記ビットは前記グループの各ＭＰＤＵが成功裡に受信されたことを確認するものである、Ｃ７１に記載の装置。
[Ｃ７３]
各ＭＰＤＵはこのＭＰＤＵがグループに属すかどうかの指示とともに送信され、前記ビットマップはグループに属さないＭＰＤＵを個々に確認するための少なくとも１つのビットを備える、Ｃ７１に記載の装置。
[Ｃ７４]
各ＭＰＤＵがグループに属すかどうかの前記指示はＭＰＤＵデリミタフィールド中で与えられる、Ｃ７３に記載の装置。
[Ｃ７５]
前記ＭＰＤＵデリミタフィールドは超高スループット（ＶＨＴ）シーケンス番号を備えるデリミタ拡張の存在を示し、同じグループの複数のＭＰＤＵが同じＶＨＴシーケンス番号を持つ、Ｃ７４に記載の装置。
[Ｃ７６]
各ＭＰＤＵがグループに属すかどうかの前記指示はＭＡＣヘッダーのフラグメントフィールド中で与えられ、前記フラグメントフィールドはＭＰＤＵがグループにおける最終ＭＰＤＵであるかどうかを示すビットを備える、Ｃ７３に記載の装置。
[Ｃ７７]
同じグループ中の複数のＭＰＤＵが増加シーケンス番号を持つか、あるいは同じグループ中の複数のＭＰＤＵが同じシーケンス番号および異なるサブフレームシーケンス番号を持つ、Ｃ７１に記載の装置。
[Ｃ７８]
グループサイズｎを判断するための手段をさらに備え、前記ビットマップ中の前記ビットは同じグループ中のｎ個のＭＰＤＵの受信を確認するものである、Ｃ７１に記載の装置。
[Ｃ７９]
１つの装置に、前記グループサイズｎを示すグループ化メッセージを送るための手段と、
前記グループ化メッセージが前記装置によって成功裡に受信されたという確証を受信するための手段とをさらに備える、Ｃ７８に記載の装置。
[Ｃ８０]
前記ビットマップはｎ未満のＭＰＤＵを備える最終グループの受信を確認する少なくとも１つのビットを備える、Ｃ７８に記載の装置。
[Ｃ８１]
ｎ個のＭＰＤＵからなる少なくとも１つのグループについて、データを含むｎ−ｍ個のＭＰＤＵおよびｍ個のヌルＭＰＤＵを送信するための手段をさらに備える、Ｃ７８に記載の装置。
[Ｃ８２]
前記ＢＡメッセージはｎ個のＭＰＤＵからなるグループを確認するのに使われ前記ビットマップ中の１つまたは複数のビットを示す別のビットを備える、Ｃ７１に記載の装置。
[Ｃ８３]
前記ＢＡメッセージは前記ビットによって確認されたＭＰＤＵの数を示すグループサイズフィールドを備える、Ｃ７１に記載の装置。
[Ｃ８４]
少なくとも１つのアンテナと、
前記少なくとも１つのアンテナを介して、複数のメディアアクセス制御（ＭＡＣ）プロトコルデータ単位（ＭＰＤＵ）を送信するように構成される送信機と、
前記少なくとも１つのアンテナを介して、ブロック確認（ＢＡ）メッセージを受信するように構成される受信機とを備え、前記ＢＡメッセージは前記複数のＭＰＤＵのうち２つ以上からなるグループの受信を確認するためのビットを備えたビットマップを備える、ワイヤレスノード。
[Ｃ８５]
ワイヤレス通信のためのコンピュータプログラム製品であって、
複数のメディアアクセス制御（ＭＡＣ）プロトコルデータ単位（ＭＰＤＵ）を送信し、
前記複数のＭＰＤＵのうち２つ以上からなるグループの受信を確認するためのビットを備えたビットマップを備えるブロック確認（ＢＡ）メッセージを受信するように実行可能な複数の命令を備えるコンピュータ可読媒体を備えるコンピュータプログラム製品。
【国際調査報告】
2013542632.tif 000021
2013542632.tif 000022